(57)【要約】      （修正有）【課題】アクティブＤＬ  ＢＷＰ変化を考慮するＤＣＩコンテンツ処理のための方法および装置を提供する。【解決手段】ユーザ機器（ＵＥ）が、第１のＤＬ（下りリンク）ＢＷＰ（帯域幅部分）と第２のＤＬ  ＢＷＰで設定され、第１のＤＬ  ＢＷＰにおいてスケジューリングＣＯＲＥＳＥＴ（制御リソースセット）内のＤＣＩ（ダウンリンク制御情報）を受信および監視し、デコードのためのＤＣＩのサイズを決定するために、ＤＣＩをデコードする前にスケジューリングＣＯＲＥＳＥＴのパラメータに基づいて、ＴＣＩ（伝送設定指示）フィールドがＤＣＩ内に存在するかどうかを決定する。ＵＥは、ＤＣＩをデコード後、ＤＣＩ内の（ＴＣＩフィールド以外の）少なくとも１つのフィールドにゼロビットを切り捨て、あるいはパディングし、また、ＴＣＩフィールドがＤＣＩに存在するかどうかを決定する。【選択図】図５
2019195167.tif 000002
【特許請求の範囲】
【請求項１】
ＵＥ（ユーザ機器）の方法であって、
前記ＵＥが、第１のＤＬ（下りリンク）ＢＷＰ（帯域幅部分）と第２のＤＬ  ＢＷＰで設定されるステップと、
前記ＵＥが、前記第１のＤＬ  ＢＷＰにおいてスケジューリングＣＯＲＥＳＥＴ（制御リソースセット）内のＤＣＩ（ダウンリンク制御情報）を受信および／または監視し、デコードのための該ＤＣＩのサイズを決定するために、前記ＵＥが該ＤＣＩを首尾よくデコードする前に、前記ＵＥは、該スケジューリングＣＯＲＥＳＥＴのパラメータに基づいて、ＴＣＩ（伝送設定指示）フィールドが前記ＤＣＩ内に存在するかどうかを決定するステップと、
前記ＵＥが前記ＤＣＩを首尾よくデコードした後に、前記ＵＥは、前記第２のＤＬ  ＢＷＰの設定に基づいて、前記ＤＣＩ内の（ＴＣＩフィールド以外の）少なくとも１つのフィールドを切り捨て、あるいは該少なくとも１つのフィールドにゼロビットをパディングするステップであって、前記ＤＣＩ内のＢＷＰインジケータフィールドは、前記第１のＤＬ  ＢＷＰとは異なる前記第２のＤＬ  ＢＷＰを示す、ステップと、
前記ＵＥが前記ＤＣＩを首尾よくデコードした後に、前記ＵＥは、前記第１のＤＬ  ＢＷＰにおける前記スケジューリングＣＯＲＥＳＥＴのパラメータに基づいて、前記ＴＣＩフィールドがＤＣＩに存在するかどうかを決定するステップであって、前記ＤＣＩ内のＢＷＰインジケータフィールドは、前記第１のＤＬ  ＢＷＰとは異なる前記第２のＤＬ  ＢＷＰを示す、ステップと、を含む方法。
【請求項２】
前記パラメータが、TCI-PresentInDCIである、請求項１に記載の方法。
【請求項３】
前記ＵＥは、前記ＴＣＩフィールドが前記ＤＣＩ内に存在すると決定されるとき、前記ＤＣＩ内の前記ＴＣＩフィールドによって示されるＴＣＩ状態に基づいて前記ＤＣＩによってスケジューリングされる対応ＰＤＳＣＨ（物理ダウンリンク共有チャネル）を受信するステップであって、前記ＴＣＩ状態は、前記第２のＤＬ  ＢＷＰにおいて送信されるＰＤＳＣＨを受信するために設定されたおよび／またはアクティブにされた、ステップをさらに含む、請求項１に記載の方法。
【請求項４】
前記ＵＥは、前記ＴＣＩ状態によって与えられるＱＣＬ（準同一位置）タイプパラメータに関して、ＲＳ（基準シンボル）セットの中の参照信号から導出されるアンテナポート準同一位置情報を介して前記対応ＰＤＳＣＨを受信するステップをさらに含む、請求項３に記載の方法。
【請求項５】
前記ＵＥが前記ＤＣＩを首尾よくデコードした後、前記ＵＥは、前記第２のＤＬ  ＢＷＰにおける１つ以上のＣＯＲＥＳＥＴの前記パラメータまたは前記第２のＤＬ  ＢＷＰの設定に関係なく、前記第１のＤＬ  ＢＷＰにおける前記スケジューリングＣＯＲＥＳＥＴのパラメータに基づいて、前記ＴＣＩフィールドが前記ＤＣＩ内に存在するかどうかを決定するステップをさらに含む、請求項１記載の方法。
【請求項６】
前記ＵＥが前記ＤＣＩを首尾よくデコードした後、前記ＵＥは、前記第２のＤＬ  ＢＷＰにおける１つ以上のＣＯＲＥＳＥＴのパラメータに基づいて、あるいは前記第２のＤＬ  ＢＷＰの設定に基づいて、前記ＤＣＩ内のＴＣＩフィールドを切り捨て、あるいは該ＴＣＩフィールドにゼロビットをパディングしないステップをさらに含む、請求項１記載の方法。
【請求項７】
前記ＵＥがＤＣＩを首尾よくデコードした後、前記ＵＥは、アクティブなＤＬ  ＢＷＰを前記第１のＤＬ  ＢＷＰから前記第２のＤＬ  ＢＷＰに切り替え、前記ＵＥは、前記第２のＤＬ  ＢＷＰにおいて前記対応ＰＤＳＣＨを受信するステップをさらに含む、請求項１記載の方法。
【請求項８】
前記ＵＥがフィールドを切り捨てるとは、前記ＵＥが前記ＤＣＩを首尾よくデコードした後に、前記ＤＣＩ内のフィールドの部分ビットのみを使用することを意味する、請求項１に記載の方法。
【請求項９】
前記ＵＥがフィールドにゼロビットをパディングするとは、前記ＵＥが前記ＤＣＩを首尾よくデコードした後に、前記ＵＥが前記ＤＣＩ内のフィールドに１つ以上のゼロビットを先頭に付けることを意味する、請求項１に記載の方法。
【請求項１０】
前記ＵＥがＤＣＩを首尾よくデコードする前に、前記少なくとも１つのフィールドのフィールドサイズが、前記第１のＤＬ  ＢＷＰの設定に基づいて決定される、請求項１に記載の方法。
【請求項１１】
前記第１のＤＬ  ＢＷＰの設定に基づいて決定される前記少なくとも１つのフィールドのフィールドサイズは、前記第２のＤＬ  ＢＷＰの設定に基づいて決定される前記少なくとも１つのフィールドのフィールドサイズとは異なる、請求項１に記載の方法。
【請求項１２】
前記第２のＤＬ  ＢＷＰの設定に基づいて決定される前記少なくとも１つのフィールドのフィールドサイズが、前記第１のＤＬ  ＢＷＰの設定に基づいて決定される前記少なくとも１つのフィールドのフィールドサイズよりも大きい場合、前記ＵＥが前記ＤＣＩを首尾よくデコードした後に、前記ＵＥは、前記少なくとも１つのフィールドにゼロビットをパディングするステップと、
前記第２のＤＬ  ＢＷＰの設定に基づいて決定される前記少なくとも１つのフィールドのフィールドサイズが、前記第１のＤＬ  ＢＷＰの設定に基づいて決定される前記少なくとも１つのフィールドのフィールドサイズよりも小さい場合、前記ＵＥが前記ＤＣＩを首尾よくデコードした後に、前記ＵＥは、前記少なくとも１つのフィールドを切り捨てるステップと、をさらに含む、請求項１に記載の方法。
【請求項１３】
前記少なくとも１つのフィールドは、周波数領域リソース割り当てフィールドであり、前記ＵＥは、前記第２のＤＬ  ＢＷＰの設定に基づいて実行される切り捨てまたはゼロビットのパディングを伴う周波数領域リソース割り当てフィールド値によって示される周波数領域リソース上で前記対応ＰＤＳＣＨを受信する、請求項１に記載の方法。
【請求項１４】
第１のＤＬ（ダウンリンク）ＢＷＰ（帯域幅部分）および第２のＤＬ  ＢＷＰで設定されるユーザ機器（ＵＥ）であって、
制御回路と、
前記制御回路に取り付けられたプロセッサ
前記制御回路に取り付けられ、前記プロセッサに動作可能に結合されたメモリと、を含み、
前記プロセッサは、前記メモリに記憶されたプログラムコードを実行して、
前記第１のＤＬ  ＢＷＰにおいてスケジューリングＣＯＲＥＳＥＴ（制御リソースセット）内のＤＣＩ（ダウンリンク制御情報）を受信および／または監視し、デコードのための該ＤＣＩのサイズを決定するために、当該ＵＥが該ＤＣＩを首尾よくデコードする前に、該スケジューリングＣＯＲＥＳＥＴのパラメータに基づいて、ＴＣＩ（伝送構成指示）フィールドが前記ＤＣＩ内に存在するかどうかを決定するステップと、
当該ＵＥが前記ＤＣＩを首尾よくデコードした後、前記第２のＤＬ  ＢＷＰの設定に基づいて、前記ＤＣＩ内の（ＴＣＩフィールド以外の）少なくとも１つのフィールドにゼロビットを切り捨て、あるいは該少なくとも１つのフィールドにゼロビットをパディングするステップであって、前記ＤＣＩ内のＢＷＰインジケータフィールドは、前記第１のＤＬ  ＢＷＰとは異なる前記第２のＤＬ  ＢＷＰを示す、ステップと、
当該ＵＥが前記ＤＣＩを首尾よくデコードした後、前記第１のＤＬ  ＢＷＰにおける前記スケジューリングＣＯＲＥＳＥＴのパラメータに基づいて、前記ＴＣＩフィールドがＤＣＩに存在するかどうかを決定するステップであって、前記ＤＣＩ内のＢＷＰインジケータフィールドは、前記第１のＤＬ  ＢＷＰとは異な前記第２のＤＬ  ＢＷＰを示す、ステップと、
を行うように構成されている、ＵＥ。
【請求項１５】
前記パラメータは、TCI-PresentInDCIである、請求項１４に記載のＵＥ。
【請求項１６】
前記プロセッサは、前記メモリに記憶されたプログラムコードを実行して、
前記ＴＣＩフィールドが前記ＤＣＩ内に存在すると決定されるとき、前記ＤＣＩ内の前記ＴＣＩフィールドによって示されるＴＣＩ状態に基づいて前記ＤＣＩによってスケジューリングされる対応ＰＤＳＣＨ（物理ダウンリンク共有チャネル）を受信するステップであって、前記ＴＣＩ状態は、前記第２のＤＬ  ＢＷＰにおいて送信されるＰＤＳＣＨを受信するように設定および／またはアクティブ化される、ステップと、
前記ＴＣＩ状態によって与えられるＱＣＬ（準同一位置）タイプパラメータに関して、ＲＳ（基準シンボル）セットの中の参照信号から導出されるアンテナポート準同一位置情報を介して前記対応ＰＤＳＣＨを受信するステップと、
を行うようにさらに構成された、請求項１４に記載のＵＥ。
【請求項１７】
前記プロセッサは、前記メモリに記憶されたプログラムコードを実行して、
前記第２のＤＬ  ＢＷＰにおける１つ以上のＣＯＲＥＳＥＴの前記パラメータに基づいて、あるいは前記第２のＤＬ  ＢＷＰの設定に基づいて、当該ＵＥが前記ＤＣＩを首尾よくデコードした後、前記ＤＣＩ内のＴＣＩフィールドを切り捨て、あるいは該ＴＣＩフィールドにゼロビットをパディングしないステップ、
を行うようにさらに構成された、請求項１４に記載のＵＥ。
【請求項１８】
前記第１のＤＬ  ＢＷＰの設定に基づいて決定される前記少なくとも１つのフィールドのフィールドサイズは、前記第２のＤＬ  ＢＷＰの設定に基づいて決定される前記少なくとも１つのフィールドのフィールドサイズとは異なる、請求項１４に記載のＵＥ。
【請求項１９】
前記プロセッサは、前記メモリに記憶されたプログラムコードを実行して、
前記第２のＤＬ  ＢＷＰの設定に基づいて決定される前記少なくとも１つのフィールドのフィールドサイズが、前記第１のＤＬ  ＢＷＰの設定に基づいて決定される前記少なくとも１つのフィールドのフィールドサイズよりも大きい場合、当該ＵＥが前記ＤＣＩを首尾よくデコードした後に、前記少なくとも１つのフィールドにゼロビットをパディングするステップと、
前記第２のＤＬ  ＢＷＰの設定に基づいて決定される前記少なくとも１つのフィールドのフィールドサイズが、前記第１のＤＬ  ＢＷＰの設定に基づいて決定される前記少なくとも１つのフィールドのフィールドサイズよりも小さい場合、当該ＵＥが前記ＤＣＩを首尾よくデコードした後に、前記少なくとも１つのフィールドを切り捨てるステップと、
を行うようにさらに構成された、請求項１４に記載のＵＥ。
【請求項２０】
前記少なくとも１つのフィールドは、周波数領域リソース割り当てフィールドであり、当該ＵＥは、前記第２のＤＬ  ＢＷＰの設定に基づいて実行される切り捨てまたはゼロビットのパディングを伴う周波数領域リソース割り当てフィールド値によって示される周波数領域リソース上で前記対応ＰＤＳＣＨを受信する、請求項１４に記載のＵＥ。
【発明の詳細な説明】
【技術分野】
【０００１】
本願は、２０１８年５月４日に出願された米国仮特許出願第６２／６６７，３４７号の利益を主張するものであり、そのすべての開示は全体として参照により本明細書に援用される。
【０００２】
この開示は、概して、無線通信ネットワークに関連し、より詳細には、無線通信システムにおけるアクティブＤＬ  ＢＷＰ変更を考慮するＤＣＩコンテンツ処理のための方法および装置に関連する。
に関連する。
【背景技術】
【０００３】
移動体通信デバイスとの大量データの通信に対する要求が急速に高まる中、従来の移動体音声通信ネットワークは、インターネットプロトコル（ＩＰ）データパケットをやり取りするネットワークへと発展している。そのようなＩＰデータパケット通信は、移動体通信デバイスのユーザに、ボイスオーバＩＰ、マルチメディア、マルチキャスト、およびオンデマンド通信サービスを提供可能である。
【０００４】
例示的なネットワーク構造は、発展型ユニバーサル地上無線アクセスネットワーク（Ｅ−ＵＴＲＡＮ）である。Ｅ−ＵＴＲＡＮシステムは、上記のボイスオーバＩＰおよびマルチメディアサービスを実現するために、高いデータスループットを提供可能である。現在、次世代（例えば、５Ｇ）の新しい無線技術が３ＧＰＰ標準化機構によって論じられている。このため、現行の３ＧＰＰ標準内容に対する変更が現在提出され、３ＧＰＰ標準の発展および確定に向けて検討されている。
【発明の概要】
【０００５】
ユーザ機器（ＵＥ）の観点から、方法および装置を開示する。一実施形態では、本方法は、ＵＥが、第１のＤＬ（下りリンク）ＢＷＰ（帯域幅部分）と第２のＤＬ  ＢＷＰで設定されるステップを含む。また、本方法は、ＵＥが、第１のＤＬ  ＢＷＰにおいてスケジューリングＣＯＲＥＳＥＴ（制御リソースセット）内のＤＣＩ（ダウンリンク制御情報）を受信および／または監視し、デコードのためのＤＣＩのサイズを決定するために、ＵＥがＤＣＩを首尾よくデコードする前に、ＵＥは、スケジューリングＣＯＲＥＳＥＴのパラメータに基づいて、ＴＣＩ（伝送設定指示）フィールドがＤＣＩ内に存在するかどうかを決定するステップを含む。また、本発明は、ＵＥがＤＣＩを首尾よくデコードした後に、ＵＥは、第２のＤＬ  ＢＷＰの設定に基づいて、ＤＣＩ内の（ＴＣＩフィールド以外の）少なくとも１つのフィールドにゼロビットを切り捨て、あるいはパディングするステップであって、ＤＣＩ内のＢＷＰインジケータフィールドは、第１のＤＬ  ＢＷＰとは異なる第２のＤＬ  ＢＷＰを示す、ステップをさらに含む。追加的に、本方法は、ＵＥがＤＣＩを首尾よくデコードした後に、ＵＥは、第１のＤＬ  ＢＷＰにおけるスケジューリングＣＯＲＥＳＥＴのパラメータに基づいて、ＴＣＩフィールドがＤＣＩに存在するかどうかを決定するステップであって、ＤＣＩ内のＢＷＰインジケータフィールドは、第１のＤＬ  ＢＷＰとは異な第２のＤＬ  ＢＷＰを示す、ステップを含む。
【図面の簡単な説明】
【０００６】
【図１】例示的な一実施形態による無線通信システムの図を示す。
【図２】例示的な一実施形態による送信機システム（アクセスネットワークとしても知られている）および受信機システム（ユーザ機器またはＵＥとしても知られている）のブロック図である。
【図３】例示的な一実施形態による通信デバイスの機能ブロック図である。
【図４】例示的な一実施形態による図３のプログラムコードの機能ブロック図である。
【図５】例示的な一実施形態によるフローチャートである。
【図６】例示的な一実施形態によるフローチャートである。
【図７】例示的な一実施形態によるフローチャートである。
【図８】例示的な一実施形態によるフローチャートである。
【発明を実施するための形態】
【０００７】
以下に説明する例示的な無線通信システムおよびデバイスは、無線通信システムを採用し、ブロードキャストサービスをサポートする。無線通信システムは、音声、データ等の様々なタイプの通信を提供するように広く展開されている。これらのシステムは、符号分割多元接続（ＣＤＭＡ）、時間分割多元接続（ＴＤＭＡ）、直交周波数分割多元接続（ＯＦＤＭＡ）、３ＧＰＰ  ＬＴＥ（ロングタームエボリューション）無線アクセス、３ＧＰＰ  ＬＴＥ−Ａ若しくはＬＴＥ−アドバンスト（ロングタームエボリューションアドバンスト）、３ＧＰＰ２  ＵＭＢ（Ultra  Mobile  Broadband：超モバイル広帯域）、ＷｉＭａｘ、またはその他何らかの変調技術に基づいてよい。
【０００８】
特に、以下に説明する例示的な無線通信システムおよびデバイスは、本明細書において３ＧＰＰと呼ばれる「第３世代パートナーシッププロジェクト」という名称のコンソーシアムにより提示される標準などの１つ以上の標準をサポートするように設計されてよく、その標準は、Final  Report  of  3GPP  TSG  RAN  WG1  #85  v1.0.0  (Nanjing,China,  23rd  -  27th  May  2016)、Final  Report  of  3GPP  TSG  RAN  WG1  #86  v1.0.0  (Gothenburg,  Sweden,  22nd  -  26th  August  2016)、Final  Report  of  3GPP  TSG  RAN  WG1  #86bis  v1.0.0  (Lisbon,  Portugal,  10th  -  14th  October  2016)、Final  Report  of  3GPP  TSG  RAN  WG1  #87  v1.0.0  (Reno,  USA,  14th  -  18th  November  2016)、Final  Report  of  3GPP  TSG  RAN  WG1  #AH1_NR  v1.0.0  (Spokane,  USA,  16th  -  20th  January  2017)、Final  Report  of  3GPP  TSG  RAN  WG1  #88  v1.0.0  (Athens,  Greece,  13th  -  17th  February  2017)、Final  Report  of  3GPP  TSG  RAN  WG1  #88bis  v1.0.0  (Spokane,  USA,  3rd  -  7th  April  2017)、Final  Report  of  3GPP  TSG  RAN  WG1  #89  v1.0.0  (Hangzhou,  China,  15th  -  19th  May  2017)、Final  Report  of  3GPP  TSG  RAN  WG1  #AH_NR2  v1.0.0  (Qingdao,  China,  27th  -  30th  June  2017)、Final  Report  of  3GPP  TSG  RAN  WG1  Meeting  #90  (Prague,  Czech  Republic,  21st  -  25th  August  2017)、Final  Report  of  3GPP  TSG  RAN  WG1  Meeting  #AH_NR3  (Nagoya,  Japan,  18th  -  21st  September  2017)、Final  Report  of  3GPP  TSG  RAN  WG1  Meeting  #90bis  (Prague,  Czech  Republic,  9th  -  13th  October  2017)、Final  Report  of  3GPP  TSG  RAN  WG1  Meeting  #91  (Reno,  USA,  27th  November  -  1st  December  2017)、Final  Report  of  3GPP  TSG  RAN  WG1  #AH1_1801  v1.0.0  (Vancouver,  Canada,  22nd  -  26th  January  2018)、Draft  Report  of  3GPP  TSG  RAN  WG1  Meeting  #92  v0.2.0  (Athens,  Greece,  26th  February  -  2nd  March  2018)、Final  Report  of  3GPP  TSG  RAN  WG1  #92bis、TS  38.212  V15.1.0,  “Multiplexing  and  channel  coding  (Release  15)”、TS  38.213  V15.1.0,  “Physical  layer  procedures  for  control  (Release  15)”、およびTS  38.214  V15.1.0,  “Physical  layer  procedures  for  data  (Release  15)”を含む。上記に挙げた標準および文書は、全体として参照により本明細書に明示的に援用される。
【０００９】
図１は、本発明の一実施形態に係る多重アクセス無線通信システムを示している。アクセスネットワーク１００（ＡＮ）は、複数のアンテナグループを含み、あるグループは１０４および１０６、別のグループは１０８および１１０、また別のグループは１１２および１１４を含む。図１においては、各アンテナグループに対して、アンテナが２つしか示されていないが、より多くのあるいはより少ないアンテナが各アンテナグループに利用されてよい。アクセス端末１１６（ＡＴ）は、アンテナ１１２および１１４と通信しており、アンテナ１１２および１１４は、順方向リンク１２０を介して情報をアクセス端末１１６に送信すると共に、逆方向リンク１１８を介して情報をアクセス端末１１６から受信している。アクセス端末（ＡＴ）１２２は、アンテナ１０６および１０８と通信しており、アンテナ１０６および１０８は、順方向リンク１２６を介して情報をアクセス端末（ＡＴ）１２２に送信すると共に、逆方向リンク１２４を介して情報をアクセス端末（ＡＴ）１２２から受信している。ＦＤＤシステムにおいては、通信リンク１１８、１２０、１２４、および１２６は通信に異なる周波数を使用してよい。例えば、順方向リンク１２０では、逆方向リンク１１８によって使用される周波数とは異なる周波数を使用してよい。
【００１０】
アンテナの各グループおよび／またはアンテナが通信するように設計されたエリアは、アクセスネットワークのセクターと称することが多い。本実施形態において、アンテナグループはそれぞれ、アクセスネットワーク１００によってカバーされるエリアのセクターにおいて、アクセス端末と通信するように設計されている。
【００１１】
順方向リンク１２０および１２６を介した通信において、アクセスネットワーク１００の送信アンテナは、異なるアクセス端末１１６および１２２に対する順方向リンクの信号対雑音比を改善するために、ビームフォーミングを利用してよい。また、カバレッジにランダムに分散したアクセス端末への送信にビームフォーミングを使用するアクセスネットワークは、１つのアンテナからすべてのそのアクセス端末に送信を行うアクセスネットワークよりも、隣接セルのアクセス端末への干渉が少ない。
【００１２】
アクセスネットワーク（ＡＮ）は、端末と通信するのに使用される固定局または基地局でよく、ネットワーク（ＮＷ）、アクセスポイント、ノードＢ、基地局、拡張型基地局、進化型ノードＢ（ｅＮＢ）、またはその他何らかの専門用語で呼ばれることもある。アクセス端末（ＡＴ）は、ユーザ機器（ＵＥ）、無線通信デバイス、端末、アクセス端末、またはその他何らかの専門用語で呼ばれることもある。
【００１３】
図２は、ＭＩＭＯシステム２００における送信機システム２１０（アクセスネットワークとしても知られている）および受信機システム２５０（アクセス端末（ＡＴ）またはユーザ機器（ＵＥ）としても知られている）の実施形態の簡易ブロック図である。送信機システム２１０では、多くのデータストリームのトラフィックデータがデータ源２１２から送信（ＴＸ）データプロセッサ２１４に提供される。
【００１４】
一実施形態において、各データストリームは、それぞれの送信アンテナを介して送信される。ＴＸデータプロセッサ２１４は、データストリームに対して選択された特定の符号化方式に基づいて、各データストリームについてのトラフィックデータをフォーマット、符号化、およびインターリーブして、符号化データを提供する。
【００１５】
各データストリームについての符号化データを、ＯＦＤＭ技術を使用してパイロットデータと多重化してよい。パイロットデータは、代表的には、既知の様態で処理される既知のデータパターンであり、受信機システムでチャネル応答を推定するのに使用されてよい。そして、各データストリームについての多重化パイロットおよび符号化データは、データストリームに対して選択された特定の変調方式（例えば、ＢＰＳＫ、ＱＰＳＫ、Ｍ−ＰＳＫ、またはＭ−ＱＡＭ）に基づいて変調（すなわち、シンボルマッピング）されて、変調シンボルを提供する。各データストリームについてのデータレート、符号化、および変調は、プロセッサ２３０により実行される命令によって決定されてよい。
【００１６】
そして、すべてのデータストリームについての変調シンボルはＴＸ  ＭＩＭＯプロセッサ２２０に与えられ、これが（例えば、ＯＦＤＭの場合に）変調シンボルをさらに処理してよい。そして、ＴＸ  ＭＩＭＯプロセッサ２２０は、ＮＴ個の変調シンボルストリームをＮＴ個の送信機（ＴＭＴＲ）２２２ａ〜２２２ｔに提供する。特定の実施形態において、ＴＸ  ＭＩＭＯプロセッサ２２０は、ビームフォーミング加重をデータストリームのシンボルおよびシンボルが送信されているアンテナに適用する。
【００１７】
各送信機２２２は、各シンボルストリームを受信および処理して１つ以上のアナログ信号を提供し、さらに、アナログ信号を調節（例えば、増幅、フィルタリング、およびアップコンバート）して、ＭＩＭＯチャネルを介した送信に適した変調信号を提供する。そして、送信機２２２ａ〜２２２ｔからのＮＴ個の変調信号がそれぞれ、ＮＴ個のアンテナ２２４ａ〜２２４ｔから送信される。
【００１８】
受信機システム２５０においては、送信された変調信号はＮＲ個のアンテナ２５２ａ〜２５２ｒによって受信され、各アンテナ２５２からの受信信号は、各受信機（ＲＣＶＲ）２５４ａ〜２５４ｒに提供される。各受信機２５４は、それぞれの受信信号を調節（例えば、フィルタリング、増幅、およびダウンコンバート）して、調節された信号をディジタル化してサンプルを与え、さらに、これらのサンプルを処理して対応する「受信」シンボルストリームを提供する。
【００１９】
そして、ＲＸデータプロセッサ２６０は、特定の受信機処理技術に基づいて、ＮＲ個の受信機２５４からのＮＲ個の受信シンボルストリームを受信および処理して、ＮＴ個の「検出」シンボルストリームを提供する。そして、ＲＸデータプロセッサ２６０は、各検出シンボルストリームを復調、デインターリーブ、および復号して、データストリームについてのトラフィックデータを復元する。ＲＸデータプロセッサ２６０による処理は、送信機システム２１０でのＴＸ  ＭＩＭＯプロセッサ２２０およびＴＸデータプロセッサ２１４により実行される処理と相補的である。
【００２０】
プロセッサ２７０は、どのプリコーディングマトリクス（後述）使用するかを定期的に決定する。プロセッサ２７０は、マトリクス指標部およびランク値部を含む逆方向リンクメッセージを構築する。
【００２１】
逆方向リンクメッセージは、通信リンクおよび／または受信データストリームに関する様々なタイプの情報を含んでよい。そして、逆方向リンクメッセージは、データ源２３６からの多くのデータストリームについてのトラフィックデータも受信するＴＸデータプロセッサ２３８により処理され、変調器２８０により変調され、送信機２５４ａ〜２５４ｒにより調節され、送信機システム２１０に送り戻される。
【００２２】
送信機システム２１０では、受信機システム２５０からの変調信号がアンテナ２２４により受信され、受信機２２２により調節され、復調器２４０により復調され、ＲＸデータプロセッサ２４２により処理されて、受信機システム２５０により送信された逆方向リンクメッセージを抽出する。そして、プロセッサ２３０は、ビームフォーミング加重を決定するのにどのプリコーディングマトリクスを使用するかを決定し、そして、抽出されたメッセージを処理する。
【００２３】
図３を参照すると、この図は、本発明の一実施形態による通信デバイスの代替的な簡易機能ブロック図を示している。図３に示されるように、無線通信システムにおける通信デバイスは、図１のＵＥ（若しくはＡＴ）１１６および１２２または図１の基地局（若しくはＡＮ）１００を実現するのに利用可能であり、無線通信システムは、好ましくはＬＴＥシステムである。通信デバイスは、入力デバイス３０２、出力デバイス３０４、制御回路３０６、中央演算処理装置（ＣＰＵ）３０８、メモリ３１０、プログラムコード３１２、およびトランシーバ３１４を含んでよい。制御回路３０６は、ＣＰＵ３０８を介してメモリ３１０内のプログラムコード３１２を実行することにより、通信デバイスの動作を制御する。通信デバイス３００は、キーボード、キーパッド等の入力デバイス３０２を介してユーザにより入力された信号を受信することができ、モニタ、スピーカ等の出力デバイス３０４を介して画像および音声を出力することができる。トランシーバ３１４は、無線信号を受信および送信するのに使用され、受信信号を制御回路３０６に伝達すると共に、制御回路３０６により生成された信号を無線で出力する。無線通信システムにおける通信デバイス３００は、図１のＡＮ１００を実現するのにも利用可能である。
【００２４】
図４は、本発明の一実施形態による図３に示すプログラムコード３１２の簡易ブロック図である。本実施形態において、プログラムコード３１２は、アプリケーションレイヤ４００、レイヤ３部４０２、およびレイヤ２部４０４を含み、レイヤ１部４０６に結合されている。レイヤ３部４０２は一般的に、無線リソース制御を実行する。レイヤ２部４０４は一般的に、リンク制御を実行する。レイヤ１部４０６は一般的に、物理的接続を実行する。
【００２５】
以下のように、Final  Report  of  3GPP  TSG  RAN  WG1  #85  v1.0.0  (Nanjing,  China,  23rd  -  27th  May  2016)に説明されているように、ＲＡＮ１  ＃８５  ｍｅｅｔｉｎｇでは、ビーム管理についていくつかの合意がなされている。
［外１］
2019195167.tif 000003
2019195167.tif 000004
【００２６】
以下のように、Final  Report  of  3GPP  TSG  RAN  WG1  #86  v1.0.0  (Gothenburg,  Sweden,  22nd  -  -  26th  August  2016)に説明されているように、ＲＡＮ１  ＃８６  ｍｅｅｔｉｎｇでは、ビーム管理についていくつかの合意がなされている。
［外２］
2019195167.tif 000005
2019195167.tif 000006
【００２７】
以下のように、Final  Report  of  3GPP  TSG  RAN  WG1  #86bis  v1.0.0  (Lisbon,  Portugal,  10th  -  14th  October  2016)に説明されているように、ＲＡＮ１  ＃８６ｂｉｓ  ｍｅｅｔｉｎｇでは、ビーム管理についていくつかの合意がなされている。
［外３］
2019195167.tif 000007
2019195167.tif 000008
【００２８】
以下のように、Final  Report  of  3GPP  TSG  RAN  WG1  #87  v1.0.0  (Reno,  USA,  14th  -  18th  November  2016)に説明されているように、ＲＡＮ１  ＃８７  ｍｅｅｔｉｎｇでは、ビーム管理についていくつかの合意がなされている。
［外４］
2019195167.tif 000009
【００２９】
以下のように、Final  Report  of  3GPP  TSG  RAN  WG1  #AH1_NR  v1.0.0  (Spokane,  USA,  16th  -  20th  January  2017)に説明されているように、ＲＡＮ１  ＃ＡＨ＿ＮＲ  ｍｅｅｔｉｎｇでは、ビーム管理についていくつかの合意がなされている。
［外５］
2019195167.tif 000010
2019195167.tif 000011
【００３０】
以下のように、Final  Report  of  3GPP  TSG  RAN  WG1  #88  v1.0.0  (Athens,  Greece,  13th  -  17th  February  2017)に説明されているように、ＲＡＮ１  ＃８８  ｍｅｅｔｉｎｇでは、ビーム管理についていくつかの合意がなされている。
［外６］
2019195167.tif 000012
【００３１】
以下のように、Final  Report  of  3GPP  TSG  RAN  WG1  #88bis  v1.0.0  (Spokane,  USA,  3rd  -  7th  April  2017)に説明されているように、ＲＡＮ１  ＃８８ｂｉｓ  ｍｅｅｔｉｎｇでは、ビーム管理についていくつかの合意がなされている。
［外７］
2019195167.tif 000013
【００３２】
以下のように、Final  Report  of  3GPP  TSG  RAN  WG1  #89  v1.0.0  (Hangzhou,  China,  15th  -  19th  May  2017)に説明されているように、ＲＡＮ１  ＃８９  ｍｅｅｔｉｎｇでは、ビーム管理についていくつかの合意がなされている。
［外８］
2019195167.tif 000014
【００３３】
以下のように、Final
Report of 3GPP TSG RAN WG1 #AH_NR2 v1.0.0 (Qingdao, China, 27th - 30th June
2017)に説明されているように、ＲＡＮ１  ＃ＡＨ＿ＮＲ２  ｍｅｅｔｉｎｇでは、ビーム管理についていくつかの合意がなされている。
［外９］
2019195167.tif 000015
【００３４】
以下に議論されているように、Final  Report  of  3GPP  TSG  RAN  WG1  Meeting  #90  v1.0.0  (Prague,  Czech  Rep,  21st  -  25th  August  2017)に説明されているように、ＲＡＮ１  ＃９０  ｍｅｅｔｉｎｇでは、ビーム管理についていくつかの合意がなされている。１つの合意は、ＤＣＩで示されるユニキャストＰＤＳＣＨのビーム指示に関連する。
［外１０］
2019195167.tif 000016
【００３５】
以下のように、Final  Report  of  3GPP  TSG  RAN  WG1  Meeting  #AH_NR3  (Nagoya,  Japan,  18th  -  21st  September  2017)に説明されているように、ＲＡＮ１  ＃ＡＨ＿ＮＲ３  ｍｅｅｔｉｎｇでは、ビーム管理についていくつかの合意がなされている。
［外１１］
2019195167.tif 000017
2019195167.tif 000018
【００３６】
以下のように、Final  Report  of  3GPP  TSG  RAN  WG1  Meeting  #90bis  v1.0.0  (Prague,  Czech  Republic,  9th  -  13rd  October  2017)に説明されているように、ＲＡＮ１  ＃９０ｂｉｓ  ｍｅｅｔｉｎｇでは、ビーム管理についていくつかの合意がなされている。
［外１２］
2019195167.tif 000019
【００３７】
以下のように、Final  Report  of  3GPP  TSG  RAN  WG1  Meeting  #91  v1.0.0  (Reno,  USA,  27th  November  -  1st  December  2017)に説明されているように、ＲＡＮ１  ＃９１  ｍｅｅｔｉｎｇでは、ビーム管理についていくつかの合意がなされている。
［外１３］
2019195167.tif 000020
2019195167.tif 000021
【００３８】
以下のように、Final  Report  of  3GPP  TSG  RAN  WG1  Meeting  #AH_1801  v1.0.0  (Vancouver,  Canada,  22nd  -  26th  January  2018)に説明されているように、ＲＡＮ１  ＃ＡＨ＿１８０１  ｍｅｅｔｉｎｇでは、ビーム管理についていくつかの合意がなされている。
［外１４］
2019195167.tif 000022
2019195167.tif 000023
【００３９】
以下のように、Draft  Report  of  3GPP  TSG  RAN  WG1  Meeting  #92  v0.2.0  (Athens,  Greece,  26th  -  2nd  March  2018)に説明されているように、ＲＡＮ１  ＃９２では、ビーム管理についていくつかの合意がなされている。
［外１５］
2019195167.tif 000024
【００４０】
以下のように、Final  Report  of  3GPP  TSG  RAN  WG1  Meeting  #92bisに説明されているようにＲＡＮ１  ＃９２ｂｉｓでは、ビーム管理についていくつかの合意がなされている。
［外１６］
2019195167.tif 000025
【００４１】
以下のように、３ＧＰＰ  ＴＳ  ３８．２１２  Ｖ１５．１．０は、ビーム指示、ＢＷＰおよびＤＣＩコンテンツに関連するいくつかの説明を提供している。
［外１７］
2019195167.tif 000026
2019195167.tif 000027
2019195167.tif 000028
2019195167.tif 000029
2019195167.tif 000030
2019195167.tif 000031
2019195167.tif 000032
2019195167.tif 000033
【００４２】
以下のように、３ＧＰＰ  ＴＳ  ３８．２１３  Ｖ１５．１．０は、ＢＷＰ，ＣＯＲＥＳＥＴ，ＤＣＩコンテンツに関連するいくつかの説明を提供している。
［外１８］
2019195167.tif 000034
2019195167.tif 000035
2019195167.tif 000036
2019195167.tif 000037
2019195167.tif 000038
2019195167.tif 000039
2019195167.tif 000040
2019195167.tif 000041
2019195167.tif 000042
2019195167.tif 000043
【００４３】
以下のように、３ＧＰＰ  ＴＳ  ３８．２１４  Ｖ１５．１．０は、ビーム指示、ＱＣＬ、ＢＷＰおよびＤＣＩコンテンツに関連するいくつかの説明を提供している。
［外１９］
2019195167.tif 000044
2019195167.tif 000045
2019195167.tif 000046
【００４４】
以下の用語の１つまたは複数を以後使用することができる。
・  ＢＳ：１つまたは複数のセルに関連する１つまたは複数のＴＲＰを制御するために使用される、ネットワーク中央ユニットまたはＮＲにおけるネットワークノード。ＢＳとＴＲＰの間のコミュニケーションは、フロントホールを介する。ＢＳは、セントラルユニット（ＣＵ）、ｅＮＢ、ｇＮＢ、またはＮｏｄｅＢとも呼ばれ得る。
・  ＴＲＰ：送受信ポイントはネットワークカバレッジを提供し、ＵＥと直接通信する。ＴＲＰは、分散ユニット（ＤＵ）またはネットワークノードとも呼ばれ得る。
・  セル：は、１つまたは複数の関連するＴＲＰから構成される、すなわち、セルのカバレッジは、すべての関連するＴＲＰのカバレッジから構成される。１つのセルは１つのＢＳによって制御される。セルはＴＲＰグループ（ＴＲＰＧ）とも呼ばれ得る。
・  サービングビーム：ＵＥのためのサービングビームは、ネットワークノード、例えば、現在ＵＥと通信するために使用されているＴＲＰによって生成されるビームであり、例えば、送信および／または受信のためのものである。
・  候補ビーム：ＵＥのための候補ビームはサービングビームの候補である。サービングビームは、候補ビームであってもなくてもよい。
【００４５】
ＵＥがＰＤＳＣＨ（物理ダウンリンク共有チャネル）を受信するとき、ＵＥは、スケジューリングＰＤＣＣＨ（物理ダウンリンク制御チャネル）内のＴＣＩ（伝送設定指示）フィールドに従って、ＰＤＳＣＨアンテナポートの準同一位置を決定することができる。しかし、ＰＤＳＣＨをスケジューリングするＣＯＲＥＳＥＴ（制御リソースセット）に対して、TCI-PresentInDCIが「無効」に設定されるとき、またはＰＤＳＣＨがＤＣＩ（ダウンリンク制御情報）フォーマット１＿０によってスケジューリングされるとき、ＰＤＳＣＨアンテナポートの準同一位置を決定するために、ＵＥは、ＰＤＳＣＨのためのＴＣＩ状態がＰＤＣＣＨ伝送のために使用されるＣＯＲＥＳＥＴに適用されるＴＣＩ状態と同一であると仮定する。言い換えると、ＵＥは、スケジューリングＰＤＣＣＨが受信／監視されるＣＯＲＥＳＥＴを受信するためにＴＣＩ状態／空間パラメータ／ビームを使用して、対応ＰＤＳＣＨを受信する。しかし、帯域幅部分（ＢＷＰ）インジケータフィールドがスケジューリングＤＣＩ内に設定され、（現在の）アクティブＢＷＰと異なるＵＬ（アップリンク）ＢＷＰまたはＤＬ（ダウンリンク）ＢＷＰを示すとき、ＵＥは、アクティブＢＷＰを現在のアクティブＢＷＰからＤＣＩによって示されるＢＷＰに切り替えることができ、ストーリーが異なることがある。
【００４６】
スケジューリングＤＣＩ内のＢＷＰインジケータフィールドが（現在の）アクティブＤＬ  ＢＷＰとは異なるＤＬ  ＢＷＰを示す場合、スケジューリングＤＣＩ内の各フィールドは、ＢＷＰ切り替えが指示されない場合と比べて、異なった方法で解釈する必要があることがある。より具体的には、スケジューリングＤＣＩ内の各フィールドは、スケジューリングＤＣＩ内の示されたＤＬ  ＢＷＰの設定に基づいて、異なった方法で解釈される必要があることがある。スケジューリングＤＣＩ内のフィールドの解釈または処理の後に、ＵＥは、解釈または処理されたフィールドによって示されるフィールド値を使用して、対応する挙動を実行する。
【００４７】
従って、ＴＣＩフィールドに対して、ＵＥは、示されたＤＬ  ＢＷＰの設定に基づいてＴＣＩフィールドを処理または解釈する必要があることがあり、例えば、ゼロビットをパディングするか、あるいはＴＣＩフィールドビットを切り捨てる。具体的には、ＵＥは、デコードのときまたはその前に、スケジューリングＣＯＲＥＳＥＴの設定に基づいてＤＣＩのサイズまたは長さを決定することができるが、ＤＣＩ内のＢＷＰインジケータフィールドが（現在の）アクティブＤＬ  ＢＷＰとは異なるＤＬ  ＢＷＰを示すとき、ＵＥは、ＴＣＩをさらに処理または解釈する必要があることがある。例えば、TCI-PresentInDCIが古いＢＷＰにおけるスケジューリングＣＯＲＥＳＥＴに対して「無効」に設定され、TCI-PresentInDCIが新しいＢＷＰにおけるすべてのＣＯＲＥＳＥＴに対して「有効」に設定されるとき、ＵＥはＴＣＩフィールドが存在すると仮定し、ゼロビットをＴＣＩフィールドにパディングすることができる。より具体的には、ＵＥは、新しいＢＷＰにおいて対応ＰＤＳＣＨを受信するためのＴＣＩフィールド値「０００」を想定することができる。同じ例で、ＵＥは、スケジューリングＣＯＲＥＳＥＴ内で設定されたTCI-PresentInDCIに従うだけで、ＴＣＩフィールドが存在しないと仮定することができることがある。（アクティブＤＬ  ＢＷＰと異なるＤＬ  ＢＷＰを示すＢＷＰインジケータフィールドによって）アクティブなＤＬ  ＢＷＰ変更を示すＤＣＩ内のＴＣＩフィールドを処理する方法は、概して、今のところはっきりとしないままである。
【００４８】
もう１つはっきりとしない問題は、アクティブＤＬ  ＢＷＰ変更を示すＤＣＩ内のＴＣＵフィールドまたは状態が決定されたとしても、ＵＥがＴＣＩフィールド値に対してどのＢＷＰを参照するのか、あるいは解釈するのかがＵＥにははっきりとしないことがあるということである。例えば、ＴＣＩフィールドが存在しないか、あるいは長さがゼロに切り捨てられるとき、ＵＥは、ＣＯＲＥＳＥＴに適用されるＴＣＩ状態を使用して、対応ＰＤＳＣＨを受信することがある。しかし、ＵＥは、ＣＯＲＥＳＥＴがどのＢＷＰに属するか（すなわち、古いＢＷＰまたは新しいＢＷＰ）が分からないことがある。例えば、ＴＣＩフィールドが存在するか、あるいは「０００」にパディングされるとき、ＵＥは、スケジューリングＤＣＩ内のＴＣＩフィールド値または「０００」を使用して、対応ＰＤＳＣＨを受信することがある。しかし、ＵＥは、指示されたＴＣＩ状態値または「０００」をどのＢＷＰに対して解釈するのかわからないことがある。言い換えると、ＵＥは、ＴＣＩフィールドのコードポイントをＢＷＰにおけるアクティブにされるＴＣＩ状態うちのＴＣＩ状態にマッピングするときに、どのＢＷＰが参照すべきかを分からないことがある。この問題を考慮すべきである。
【００４９】
本発明において、以下の解決策または実施形態を上記の問題に対処するために提供する（ただし、これらに限定されない）。
【００５０】
一般的概念１  −  本発明の一般的な概念は、ＵＥがスケジューリングＣＯＲＥＳＥＴ内のＤＣＩを受信または監視することであり、ここで、ＤＣＩ内の帯域幅部分インジケータフィールド（設定されている場合）は、（現在の）アクティブＤＬ  ＢＷＰとは異なるＤＬ  ＢＷＰを示す。一実施形態では、ＤＣＩは、ＤＬアクティブＢＷＰ変更を示すことができる。ＵＥは（現在の）アクティブＤＬ  ＢＷＰから、ＤＣＩによって示されるＤＬ  ＢＷＰに切り替える（つまり、古いＢＷＰから新しいＢＷＰに切り替える）。一実施形態では、スケジューリングＣＯＲＥＳＥＴは、古いＢＷＰに配置され得る。
【００５１】
ＵＥは、スケジューリングＣＯＲＥＳＥＴの設定（例えば、TCI-PresentInDCI）に基づいて、ＴＣＩフィールドがＤＣＩ内に存在するかどうかを決定または仮定することができる。一実施形態では、ＵＥがＤＣＩを（首尾よく）デコードする前に、ＵＥは、スケジューリングＣＯＲＥＳＥＴの設定（例えば、TCI-PresentInDCI）に基づいて、ＴＣＩフィールドがスケジューリングＣＯＲＥＳＥＴ内のＤＣＩ内に存在するかどうかを決定または仮定することができる。一実施形態では、ＵＥがＤＣＩを（首尾よく）デコードする前に、デコードのためのＤＣＩのサイズを決定するために、ＵＥは、スケジューリングＣＯＲＥＳＥＴの設定（例えば、TCI-PresentInDCI）に基づいて、ＴＣＩフィールドがスケジューリングＣＯＲＥＳＥＴ内のＤＣＩ内に存在するかどうかを決定または仮定することができる。
【００５２】
ＵＥがＤＣＩを受信または（首尾よく）デコードする場合またはその後に、ＵＥは、スケジューリングＣＯＲＥＳＥＴの設定に基づいてＴＣＩフィールドがＤＣＩに存在するかどうかを決定することができる。ＵＥがＤＣＩを受信または（首尾よく）デコードするときまたはその後に、ＵＥは、新しいＢＷＰにおける１つ以上のＣＯＲＥＳＥＴの設定（例えば、TCI-PresentInDCI）に基づいて、ＴＣＩフィールドがＤＣＩ内に存在するかどうかを仮定しなくてもよい。ＵＥがＤＣＩを受信または（首尾よく）デコードするときまたはその後に、ＵＥは、新しいＢＷＰにおける１つ以上のＣＯＲＥＳＥＴの設定に基づいて、ＤＣＩ内のＴＣＩフィールドを（さらに）処理、例えば、ビットをパディングする、ビットを切り捨てることをしなくてもよい。
【００５３】
一般的概念２−本発明の別の概念は、ＵＥがスケジューリングＣＯＲＥＳＥＴ内のＤＣＩを受信または監視することであり、ここで、ＤＣＩ内の帯域幅部分インジケータフィールド（設定されている場合）は、（現在の）アクティブＤＬ  ＢＷＰとは異なるＤＬ  ＢＷＰを示す。一実施形態では、ＤＣＩは、ＤＬアクティブＢＷＰ変更を示すことができる。ＵＥは（現在の）アクティブなＤＬ  ＢＷＰから、ＤＣＩによって示されるＤＬ  ＢＷＰに切り替える（すなわち、古いＢＷＰから新しいＢＷＰに切り替える）。一実施形態では、スケジューリングＣＯＲＥＳＥＴは、古いＢＷＰに配置され得る。
【００５４】
ＵＥは、スケジューリングＣＯＲＥＳＥＴの設定（例えば、TCI-PresentInDCI）に基づいて、ＴＣＩフィールドがＤＣＩ内に存在するかどうかを決定または仮定することができる。一実施形態では、ＵＥがＤＣＩを（首尾よく）デコードする前に、ＵＥは、スケジューリングＣＯＲＥＳＥＴの設定（例えば、TCI-PresentInDCI）に基づいて、ＴＣＩフィールドがスケジューリングＣＯＲＥＳＥＴ内のＤＣＩ内に存在するかどうかを決定または仮定することができる。一実施形態では、ＵＥがＤＣＩを（首尾よく）デコードする前に、デコードのためのＤＣＩのサイズを決定するために、ＵＥは、スケジューリングＣＯＲＥＳＥＴの設定（例えば、TCI-PresentInDCI）基づいて、ＴＣＩフィールドがスケジューリングＣＯＲＥＳＥＴ内のＤＣＩ内に存在するかどうかを決定または仮定することができる。
【００５５】
ＵＥがＤＣＩを受信または（首尾よく）デコードするときまたはその後に、ＵＥは、新しいＢＷＰにおける１つ以上のＣＯＲＥＳＥＴの設定（例えば、TCI-PresentInDCI）に基づいて、ＴＣＩフィールドがＤＣＩ内に存在するかどうかを決定することができる。ＵＥがＤＣＩを受信または（首尾よく）デコードするときまたはその後に、ＵＥは、新しいＢＷＰにおける１つ以上のＣＯＲＥＳＥＴの設定（例えば、TCI-PresentInDCI）に基づいて、ＴＣＩフィールドの値を仮定することができる。ＵＥがＤＣＩを受信または（首尾よく）デコードするときまたはその後に、ＵＥは、スケジューリングＣＯＲＥＳＥＴの設定（例えば、TCI-PresentInDCI）に基づいて、ＤＣＩ内のＴＣＩフィールドを（さらに）処理、例えば、ビットをパディングする、ビットを切り捨てることをしなくてもよい。
【００５６】
一般的概念３−本発明の別の概念は、ＵＥがスケジューリングＣＯＲＥＳＥＴ内のＤＣＩを受信または監視することであり、ここで、ＤＣＩ内の帯域幅部分インジケータフィールド（設定されている場合）は、（現在の）アクティブＤＬ  ＢＷＰとは異なるＤＬ  ＢＷＰを示す。一実施形態では、ＤＣＩは、ＤＬアクティブＢＷＰ変更を示す。ＵＥは、ＤＣＩに基づいて（現在の）アクティブＤＬ  ＢＷＰからＤＬ  ＢＷＰに切り替える、すなわち、古いＢＷＰから新しいＢＷＰに切り替える。一実施形態では、スケジューリングＣＯＲＥＳＥＴは、古いＢＷＰに配置され得る。
【００５７】
ＵＥは、スケジューリングＣＯＲＥＳＥＴの設定、例えばTCI-PresentInDCIに基づいて、ＴＣＩフィールドがＤＣＩ内に存在するかどうかを決定または仮定することができる。一実施形態では、ＵＥがＤＣＩを（首尾よく）デコードする前に、ＵＥは、スケジューリングＣＯＲＥＳＥＴの設定（例えば、TCI-PresentInDCI）に基づいて、ＴＣＩフィールドがスケジューリングＣＯＲＥＳＥＴ内にＤＣＩ内に存在するかどうかを決定または仮定することができる。一実施形態では、ＵＥがＤＣＩを（首尾よく）デコードする前に、デコードのためのＤＣＩのサイズを決定するために、ＵＥは、スケジューリングＣＯＲＥＳＥＴの設定（例えば、TCI-PresentInDCI）に基づいて、ＴＣＩフィールドがスケジューリングＣＯＲＥＳＥＴ内のＤＣＩ内に存在するかどうかを決定または仮定することができる。
【００５８】
一実施形態では、ＵＥがＤＣＩを受信または（首尾よく）デコードし、ＤＣＩがアクティブＢＷＰ変更を示すときまたはその後に、ＵＥは、スケジューリングＣＯＲＥＳＥＴに対するTCI-PresentInDCIおよび／または新しいＢＷＰにおける１つ以上のＣＯＲＥＳＥＴに対するTCI-PresentInDCIに関わらず、ＴＣＩフィールドが存在すると仮定することができ、かつ／あるいは対応ＰＤＳＣＨを受信するために使用されるＴＣＩフィールドの値を仮定する、例えば、ＴＣＩフィールドの値が「０００」であると仮定することができる。一実施形態では、ＵＥがＤＣＩを受信または（首尾よく）デコードし、ＤＣＩがアクティブＢＷＰ変更を示すときまたはその後に、ＵＥは、スケジューリングＣＯＲＥＳＥＴに対するTCI-PresentInDCIおよび／または新しいＢＷＰにおける１つ以上のＣＯＲＥＳＥＴに対するTCI-PresentInDCIに関わらず、ＴＣＩフィールドがＤＣＩ内に存在しないと仮定することができ、かつ／あるいはＤＣＩ内のＴＣＩフィールドをゼロ長に切り捨てることができる。
【００５９】
一般的概念４−本発明の別の概念は、ＵＥがスケジューリングＣＯＲＥＳＥＴ内のＤＣＩを受信または監視することであり、ここで、ＤＣＩ内の帯域幅部分インジケータフィールド（設定されている場合）は、（現在の）アクティブＤＬ  ＢＷＰとは異なるＤＬ  ＢＷＰを示す。一実施形態では、ＤＣＩは、ＤＬアクティブＢＷＰ変更を示すことができる。ＵＥは、ＤＣＩに基づいて（現在の）アクティブＤＬ  ＢＷＰからＤＬ  ＢＷＰに切り替える（すなわち、古いＢＷＰから新しいＢＷＰに切り替える）。一実施形態では、スケジューリングＣＯＲＥＳＥＴは、古いＢＷＰに配置され得る。
【００６０】
ＵＥは、ＴＣＩ状態に基づいて対応ＰＤＳＣＨを受信することができる。一実施形態において、ＴＣＩ状態は、ＤＣＩ（例えば、ＤＣＩ内のＴＣＩフィールド）によって明示的または黙示的に示され得る。一実施形態では、ＴＣＩ状態は、古いＢＷＰにおいて送信されたＰＤＳＣＨ／ＰＤＣＣＨを受信するために設定されたあるいはアクティブにされたＴＣＩとすることができる。代替的に、ＴＣＩ状態は、スケジューリングＣＯＲＥＳＥＴを受信するために適用されるＴＣＩ状態と同一とすることができる。
【００６１】
一実施形態では、ＵＥは、対応ＰＤＳＣＨの１つのＤＭ−ＲＳポートグループのアンテナポートが、ＴＣＩ状態によって与えられるＱＣＬタイプパラメータに関して、ＲＳセット内の参照信号と準同一位置にあると仮定することができる。一実施形態では、参照信号は、古いＢＷＰにおいて送信され得る。
【００６２】
一実施形態では、ＵＥは、ＴＣＩ状態によって与えられるＱＣＬタイプパラメータに関して、ＲＳセット内の参照信号から導出されたアンテナポート準同一位置情報を介して対応ＰＤＳＣＨを受信することができる。一実施形態では、参照信号は、古いＢＷＰにおいて送信され得る。
【００６３】
一般的概念５−本発明の別の概念は、ＵＥがスケジューリングＣＯＲＥＳＥＴ内のＤＣＩを受信／監視することであり、ここで、ＤＣＩ内の帯域幅部分インジケータフィールド（設定されている場合）は、（現在の）アクティブＤＬ  ＢＷＰとは異なるＤＬ  ＢＷＰを示す。一実施形態では、ＤＣＩは、ＤＬアクティブＢＷＰ変更を示すことができる。ＵＥは、ＤＣＩに基づいて（現在の）アクティブＤＬ  ＢＷＰからＤＬ  ＢＷＰに切り替える（すなわち、古いＢＷＰから新しいＢＷＰに切り替える）。一実施形態では、スケジューリングＣＯＲＥＳＥＴは、古いＢＷＰに配置され得る。
【００６４】
ＵＥは、ＴＣＩ状態に基づいて対応ＰＤＳＣＨを受信することができる。一実施形態において、ＴＣＩ状態は、ＴＣＩフィールドによって示され得る。一実施形態では、ＴＣＩフィールドは、新しいＢＷＰの構成に基づいて、さらなる解釈または処理、例えば、ビットを切り捨てるあるいはビットをパディングせずに、ＤＣＩ内に示される。一実施形態では、ＴＣＩフィールドは、新しいＢＷＰにおける１つ以上のＣＯＲＥＳＥＴの少なくｔも設定によって導出される（例えば、ビットをＴＣＩフィールドにパディングする、ＴＣＩフィールドのビットを切り捨てる）。一実施形態では、ＴＣＩ状態は、新しいＢＷＰにおいて送信されたＰＤＳＣＨまたはＰＤＣＣＨを受信するために設定されたあるいはアクティブにされたＴＣＩ状態とすることができる。追加的または代替的に、ＴＣＩ状態は、新しいＢＷＰにおけるＣＯＲＥＳＥＴの１つを受信するために適用されるＴＣＩ状態と同一とすることができる。
【００６５】
一般的概念６−本発明の別の概念は、ＵＥがスケジューリングＣＯＲＥＳＥＴ内のＤＣＩを受信または監視することであり、ここで、ＤＣＩ内の帯域幅部分インジケータフィールド（設定されている場合）は、（現在の）アクティブＤＬ  ＢＷＰとは異なるＤＬ  ＢＷＰを示す。一実施形態において、ＤＣＩは、ＤＬアクティブＢＷＰ変更を示すことができる。ＵＥは、ＤＣＩに基づいて（現在の）アクティブＤＬ  ＢＷＰからＤＬ  ＢＷＰに切り替える（すなわち、古いＢＷＰから新しいＢＷＰに切り替える）。一実施形態では、スケジューリングＣＯＲＥＳＥＴは、古いＢＷＰに配置され得る。
【００６６】
ＵＥは、時間ウィンドウで設定されるあるいは時間ウィンドウが示され得る。一実施形態では、時間ウィンドウは、ＵＥがＤＣＩを受信するときの時間単位で開始することができる。代替的に、時間ウィンドウは、ＵＥが新しいＢＷＰに切り替わるときの時間単位で開始することができる。時間ウィンドウは、ＵＥが新しいＢＷＰにおいてＰＤＳＣＨを受信するためにアクティブにされたＴＣＩ状態に関連するＲＳを測定することとすることができる。
【００６７】
一実施形態では、対応ＰＤＳＣＨの開始シンボルは、時間ウィンドウの終わりにあるいは時間ウィンドウの終了後にあるとすることができる。一実施形態において、対応ＰＤＳＣＨの開始シンボルは、常に、時間ウィンドウの終わりに配置され、かつ／あるいは常に、時間ウィンドウの終了後に配置され得る。一実施形態では、対応ＰＤＳＣＨの開始シンボルは、時間ウィンドウの終了前に配置されることは許されない可能性がある。
【００６８】
対応ＰＤＳＣＨの開始シンボルが時間ウィンドウ内にある場合、ＵＥは、対応ＰＤＳＣＨの１つのＤＭ−ＲＳポートグループのアンテナポートが参照信号と準同一位置にあると仮定することができ、参照信号は、古いＢＷＰにおいてＰＤＳＣＨおよび／またはＰＤＣＣＨを受信するために設定された／アクティブにされたＴＣＩ状態に関連付けられる。一実施形態では、対応ＰＤＳＣＨの開始シンボルが時間ウィンドウ内にあるとき、ＵＥは、参照信号から導出されたアンテナポート準同一位置情報を介して対応ＰＤＳＣＨを受信することができ、ここで、参照信号は、古いＢＷＰにおいてＰＤＳＣＨおよび／またはＰＤＣＣＨを受信するために設定された／アクティブにされたＴＣＩ状態と関連付けられる。
【００６９】
対応ＰＤＳＣＨの開始シンボルが、時間ウィンドウの終わりおよび／または時間ウィンドウの終了後にある場合、ＵＥは、対応ＰＤＳＣＨの１つのＤＭ−ＲＳポートグループのアンテナポートが、参照信号と準同一位置にあると仮定することができ、ここで、参照信号は、新しいＢＷＰにおいてＰＤＳＣＨおよび／またはＰＤＣＣＨを受信するために設定されたあるいはアクティブにされたＴＣＩ状態に関連付けられる。一実施形態では、対応ＰＤＳＣＨの開始シンボルが、時間ウィンドウの終わりおよび／または時間ウィンドウの終了後にあるとき、ＵＥは、参照信号から導出されたアンテナポート準同一位置情報を介して対応ＰＤＳＣＨを受信することができ、ここで、参照信号は、新しいＢＷＰにおいてＰＤＳＣＨおよび／またはＰＤＣＣＨを受信するために設定されたあるいはアクティブにされたＴＣＩ状態と関連付けられる。
【００７０】
実施形態１−ＵＥは、第１のＢＷＰにおいてスケジューリングＣＯＲＥＳＥＴ内のＤＣＩを受信および／または監視する。ＤＣＩ内の帯域幅部分（ＢＷＰ）インジケータフィールドは、第１のＢＷＰとは異なる第２のＢＷＰを示すことができる。一実施形態では、ＤＣＩは、ＤＬアクティブＢＷＰ変更を示すことができる。
【００７１】
ＵＥは、スケジューリングＣＯＲＥＳＥＴの設定（例えば、TCI-PresentInDCI）に基づいて、ＴＣＩフィールドがＤＣＩ内に存在するかどうかを決定または仮定する。一実施形態では、ＵＥがＤＣＩを（首尾よく）デコードする前に、ＵＥは、スケジューリングＣＯＲＥＳＥＴの設定（例えば、TCI-PresentInDCI）に基づいて、ＴＣＩフィールドがスケジューリングＣＯＲＥＳＥＴ内のＤＣＩ内に存在するかどうかを決定または仮定することができる。一実施形態では、ＵＥがＤＣＩを（首尾よく）デコードする前に、デコードのためのＤＣＩのサイズを決定するために、ＵＥは、スケジューリングＣＯＲＥＳＥＴの設定（例えば、TCI-PresentInDCI）に基づいて、ＴＣＩフィールドがスケジューリングＣＯＲＥＳＥＴ内のＤＣＩ内に存在するかどうかを、決定または仮定することができる。
【００７２】
ＵＥがＤＣＩを受信または（首尾よく）デコードする場合またはその後に、ＵＥはアクティブＤＬ  ＢＷＰを第１のＢＷＰから第２のＢＷＰに変更することができる。一実施形態では、第２のＢＷＰのインデックスは、ＤＣＩ内のＢＷＰインジケータフィールドによって示され得る。
【００７３】
ＵＥがＤＣＩを受信または（首尾よく）デコードする場合またはその後に、ＵＥは、スケジューリングＣＯＲＥＳＥＴの設定に基づいて、ＴＣＩフィールドがＤＣＩ内に存在するかどうかを決定することができる。一実施形態では、ＵＥがＤＣＩを受信または（首尾よく）デコードするときまたはその後に、ＵＥは、新しいＢＷＰにおける１つ以上のＣＯＲＥＳＥＴの設定（例えば、TCI-PresentInDCI）に基づいて、ＴＣＩフィールドがＤＣＩ内に存在するかどうかを仮定しなくてもよい。
【００７４】
一実施形態では、ＵＥがＤＣＩを受信または（首尾よく）デコードするときまたはその後に、ＵＥは、ＤＣＩ内のＴＣＩフィールドを（さらに）処理または解釈（例えば、ビットをパディングする、ビットを切り捨てる）しなくてもよい。一実施形態では、ＵＥがＤＣＩを受信または（首尾よく）デコードするときまたはその後に、ＵＥは、第２のＢＷＰにおける１つ以上のＣＯＲＥＳＥＴの設定に基づいて、ＤＣＩ内のＴＣＩフィールドを（さらに）処理（例えば、ビットをパディングする、ビットを切り捨てる）しなくてもよい。一実施形態では、ＵＥがＤＣＩを処理または解釈するときまたはその後に、ＵＥは、スケジューリングＣＯＲＥＳＥＴ（例えば、TCI-PresentInDCI）の設定に基づいてＴＣＩフィールドがＤＣＩ内に存在するかどうかを決定または仮定することができる。
【００７５】
一実施形態では、ＵＥがＤＣＩを（首尾よく）デコードする前に、ＵＥは、第１のＢＷＰの設定に基づいて、ＤＣＩ内の少なくとも１つのフィールドのフィールドサイズを決定することができる。一実施形態では、ＵＥがＤＣＩを（首尾よく）デコードする前に、デコードのためのＤＣＩのサイズを決定するために、ＵＥは、第１のＢＷＰの設定に基づいて、ＤＣＩ内の少なくとも１つのフィールドのフィールドサイズを決定することができる。
【００７６】
一実施形態では、ＵＥがＤＣＩを受信または（首尾よく）デコードするときまたはその後に、ＵＥは、ＤＣＩ内の少なくとも１つのフィールドを処理または解釈する（例えば、ビットをパディングする、ビットを切り捨てる）ことができる。一実施形態では、ＵＥがＤＣＩを受信または（首尾よく）デコードするときまたはその後に、ＵＥは、第２のＢＷＰの設定に基づいてＤＣＩ内の少なくとも１つのフィールドを（さらに）処理する（例えば、ビットをパディングする、ビットを切り捨てる）ことができる。ＵＥが少なくとも１つのフィールドを処理または解釈する場合またはその後に、ＵＥは、処理または解釈されている（例えば、ビットをパディングする、ビットを切り捨てる）少なくとも１つのフィールドからのフィールド値に基づいて挙動または指示を実行することができる。例えば、少なくとも１つのフィールドは、周波数リソース割り当てフィールドとすることができる。一実施形態では、少なくとも１つのフィールドは、ＴＣＩフィールドとすることができない。一実施形態では、ＵＥは、処理または解釈された周波数リソース割り当てフィールドからのフィールド値に基づいて対応ＰＤＳＣＨを受信することができる。一実施形態では、処理または解釈される少なくとも１つのフィールドのフィールドサイズは、ＵＥがＤＣＩを（首尾よく）デコードする前に決定された少なくとも１つのフィールドのものとは異なることができる。
【００７７】
ＵＥは、ＴＣＩ状態に基づいてＤＣＩに示された対応ＰＤＳＣＨを受信することができる。一実施形態では、ＴＣＩ状態は、ＴＣＩフィールドによって明示的または黙示的に示され得る。一実施形態では、ＴＣＩ状態は、ＵＥによってさらに処理または解釈される、例えば、ビットをパディングしたまたはビットを切り捨てたＴＣＩフィールドによって示されるか、あるいはＴＣＩフィールドから導出されることができ、である。ＴＣＩ状態は、第１のＢＷＰまたは第２のＢＷＰにおいて送信されたＰＤＳＣＨまたはＰＤＣＣＨを受信するために設定されたあるいはアクティブにされたＴＣＩ状態とすることができる。追加的にあるいは代替的に、ＴＣＩ状態は、スケジューリングＣＯＲＥＳＥＴを受信するために適用されるＴＣＩ状態と同一とすることができる。
【００７８】
追加的にあるいは代替的に、ＴＣＩ状態がＴＣＩフィールドによって明示的または黙示的に示されないとき、ＵＥはＴＣＩ状態がスケジューリングＣＯＲＥＳＥＴに適用されるＴＣＩ状態と同一であると仮定することができる。代替的には、ＴＣＩ状態がＴＣＩフィールドによって明示的または黙示的に示されないとき、ＵＥは、ＴＣＩ状態が第２のＢＷＰにおけるＣＯＲＥＳＥＴのうちの１つ、例えば、第２のＢＷＰ内の１つ以上のＣＯＲＥＳＥＴが設定される最新スロット内の最も低いＣＯＲＥＳＥＴ−ＩＤを有するＣＯＲＥＳＥＴに適用されるＴＣＩ状態と同一であると仮定することができる。
【００７９】
一実施形態では、ＵＥは、対応ＰＤＳＣＨの１つのＤＭ−ＲＳポートグループのアンテナポートが、ＴＣＩ状態によって与えられるＱＣＬタイプパラメータに関して、ＲＳセット内の参照信号と準同一位置にあると仮定することができる。さらに、ＵＥは、ＴＣＩ状態によって与えられるＱＣＬタイプパラメータに関して、ＲＳセット内の参照信号から導出されたアンテナポート準同一位置情報を介して対応ＰＤＳＣＨを受信することができる。ＴＣＩ状態は、第１のＢＷＰおよび／または第２のＢＷＰにおいて送信されるＰＤＳＣＨおよび／またはＰＤＣＣＨを受信するために設定されるあるいはアクティブにされ得る。
【００８０】
一実施形態では、ＵＥは、ＢＷＰインジケータフィールドで設定され得る。ＵＥがＢＷＰインジケータフィールドで設定されるとき、ＤＣＩはＢＷＰインジケータフィールドを含むことができる。さらに、ＵＥが（現在の）アクティブＢＷＰと異なるＢＷＰを示すＢＷＰインジケータフィールドを受信するとき、ＵＥは、アクティブＢＷＰからＢＷＰインジケータによって示されるＢＷＰに切り替えることができる。追加的に、ＵＥが（現在の）アクティブＢＷＰと同じＢＷＰを示すＢＷＰインジケータフィールドが受信するとき、ＵＥは（現在の）アクティブＢＷＰ上で信号を送受信することができる。
【００８１】
一実施形態では、第１のＢＷＰは、ＤＬ  ＢＷＰまたはＵＬ  ＢＷＰとすることができる。また、第２のＢＷＰは、ＤＬ  ＢＷＰまたはＵＬ  ＢＷＰとすることができる。一実施形態では、ＤＣＩは、ＤＣＩフォーマット１＿０またはＤＣＩフォーマット０＿０とすることができる。ＵＥは、第１のＢＷＰまたは第２のＢＷＰの設定に基づいて、ＤＣＩ内のフィールドを解釈または処理することができる。フィールドはＴＣＩフィールドとすることができる。
【００８２】
一実施形態では、現在のアクティブＢＷＰのパラメータまたは設定は、スケジューリングＣＯＲＥＳＥＴの設定（すなわち、TCI-PresentInDCI）を指すか、あるいは含むことができる。ＵＥがＤＣＩを受信するとき、ＵＥは、第２のＢＷＰの設定に基づいてビットを切り捨てるかあるいはビットをパディングすることにより、ＴＣＩフィールド以外のＤＣＩ内の各フィールドを解釈または処理することができる。第１のＢＷＰの設定は、第２のＢＷＰの設定とは異なることができる。一実施形態では、ＢＷＰの設定は、ＢＷＰの帯域幅、ＢＷＰ上のＰＵＣＣＨリソース、ＰＤＳＣＨ−ｔｏ−ＨＡＲＱ−ＡＣＫタイミング、時間ドメインリソース割り当てテーブル、および／またはＢＷＰのためのレートマッチング関連パラメータを示すことができる。
【００８３】
実施形態２  −  ＵＥは、第１のＢＷＰにおけるスケジューリングＣＯＲＥＳＥＴ内でＤＣＩを受信および／または監視する。ＤＣＩ内の帯域幅部分（ＢＷＰ）インジケータフィールドは、第１のＢＷＰとは異なる第２のＢＷＰを示すことができる。一実施形態では、ＤＣＩは、ＤＬアクティブＢＷＰ変更を示すことができる。
【００８４】
ＵＥは、スケジューリングＣＯＲＥＳＥＴの設定（例えば、TCI-PresentInDCI）に基づいて、ＴＣＩフィールドがＤＣＩ内に存在するかどうかを決定または仮定する。さらに、ＵＥは、ＵＥが第２のＢＷＰにおいて１つ以上のＣＯＲＥＳＥＴの設定に基づいてＤＣＩを処理または解釈した後にＴＣＩフィールドがＤＣＩ内に存在するかどうかを、決定または仮定する。
【００８５】
一実施形態では、ＵＥがＤＣＩを（首尾よく）デコードする前に、ＵＥは、スケジューリングＣＯＲＥＳＥＴの設定（例えば、TCI-PresentInDCI）に基づいて、ＴＣＩフィールドがスケジューリングＣＯＲＥＳＥＴ内のＤＣＩ内に存在するかどうかを決定または仮定することができる。一実施形態では、ＵＥがＤＣＩを（首尾よく）デコードする前に、デコードのためのＤＣＩのサイズを決定するために、ＵＥは、スケジューリングＣＯＲＥＳＥＴの設定（例えば、TCI-PresentInDCI）に基づいてＴＣＩフィールドがスケジューリングＣＯＲＥＳＥＴ内のＤＣＩ内に存在するかどうかを、決定または仮定することができる。
【００８６】
ＵＥがＤＣＩを受信または（首尾よく）デコードする場合またはその後に、ＵＥはアクティブＤＬ  ＢＷＰを第１のＢＷＰから第２のＢＷＰに変更することができる。第２のＢＷＰのインデックスは、ＤＣＩ内のＢＷＰインジケータフィールドによって示され得る。
【００８７】
ＵＥがＤＣＩを受信または（首尾よく）デコードする場合またはその後に、ＵＥは、第２のＢＷＰにおける１つ以上のＣＯＲＥＳＥＴの設定（例えば、TCI-PresentInDCI）に基づいてＴＣＩフィールドがＤＣＩ内に存在するかどうかを決定することができる。一実施形態では、ＵＥがＤＣＩを受信または（首尾よく）デコードするときまたはその後に、ＵＥは、第２のＢＷＰにおける１つ以上のＣＯＲＥＳＥＴの設定（例えば、TCI-PresentInDCI）に基づいて、ＴＣＩフィールドの値を仮定することができる。一実施形態では、ＵＥがＤＣＩを受信または（首尾よく）デコードするときまたはその後に、ＵＥは、スケジューリングＣＯＲＥＳＥＴの設定（例えば、TCI-PresentInDCI）に基づいて、ＤＣＩ内のＴＣＩフィールドを（さらに）処理、例えば、ビットをパディングしたり、ビットを切り捨てたりしなくてもよい。
【００８８】
一実施形態では、ＵＥがＤＣＩを処理または解釈するときまたはその後に、ＵＥは、、第２のＢＷＰにおける１つ以上のＣＯＲＥＳＥＴの設定（例えば、TCI-PresentInDCI）に基づいてＴＣＩフィールドがＤＣＩ内に存在するかどうかを決定または仮定することができる。追加的に、第２のＢＷＰにおける１つ以上のＣＯＲＥＳＥＴの設定に基づいて、ＵＥは、TCI-PresentInDCIがスケジューリングＣＯＲＥＳＥＴに対して「無効」であるときでも、ＴＣＩフィールドがＤＣＩ内に存在すると仮定し、かつ／あるいはＴＣＩフィールドの値を仮定することができる（例えば、ＴＣＩフィールドのビット長が３ビットであるとき、ＴＣＩフィールドの値が「０００」と仮定することができる）。さらに、ＵＥは、ＴＣＩフィールドが、ゼロ長を有して存在し、かつ／あるいは第２のＢＷＰの設定に基づいて、ゼロビットをＴＣＩフィールドの全長までＴＣＩフィールドにパディングすることができる。
【００８９】
一実施形態では、第２のＢＷＰにおける１つ以上のＣＯＲＥＳＥＴの設定に基づいて、ＵＥは、TCI-PresentInDCIがスケジューリングＣＯＲＥＳＥＴに対して「有効」であるときでも、ＴＣＩフィールドがＤＣＩ内に存在しないと仮定し、かつ／あるいはＤＣＩ内のＴＣＩフィールドをゼロ長に切り捨てることができる。
【００９０】
ＵＥは、ＴＣＩ状態に基づいてＤＣＩ内に示された対応ＰＤＳＣＨを受信することができる。一実施形態では、ＴＣＩ状態は、ＴＣＩフィールドによって明示的または黙示的に示され得る。一実施形態では、ＴＣＩ状態は、ＵＥによってさらに処理または解釈される、例えば、ビットをパディングする、あるいはビットを切り捨てた、ＴＣＩフィールドによって示されるか、あるいはＴＣＩフィールドから導出され得る。ＴＣＩ状態は、第１のＢＷＰまたは第２のＢＷＰにおいて送信されたＰＤＳＣＨまたはＰＤＣＣＨを受信するために設定されたあるいはアクティブにされたＴＣＩ状態とすることができる。追加的または代替的に、ＴＣＩ状態は、スケジューリングＣＯＲＥＳＥＴを受信するために適用されるＴＣＩ状態と同一とすることができる。追加的に、ＴＣＩ状態がＴＣＩフィールドによって明示的または黙示的に示されないとき、ＵＥはＴＣＩ状態がスケジューリングＣＯＲＥＳＥＴに適用されるＴＣＩ状態と同一であると仮定することができる。特に、ＴＣＩ状態がＴＣＩフィールドによって明示的または黙示的に示されないとき、ＵＥは、ＴＣＩ状態が第２のＢＷＰにおけるＣＯＲＥＳＥＴのうちの１つ、例えば、第２のＢＷＰ内で１つ以上のＣＯＲＥＳＥＴが設定される最新スロットにおいて最も低いＣＯＲＥＳＥＴ−ＩＤを有するＣＯＲＥＳＥＴに適用されるＴＣＩ状態と同一であると仮定することができる。
【００９１】
一実施形態では、ＵＥは、対応ＰＤＳＣＨの１つのＤＭ−ＲＳポートグループのアンテナポートが、ＴＣＩ状態によって与えられるＱＣＬタイプパラメータに関して、ＲＳセット内の参照信号と準同一位置にあると仮定することができる。ＵＥは、ＴＣＩ状態によって与えられるＱＣＬタイプパラメータに関して、ＲＳセット内の参照信号から導出されたアンテナポート準同一位置情報を介して対応ＰＤＳＣＨを受信することができる。
【００９２】
一実施形態では、ＴＣＩ状態は、第１のＢＷＰまたは第２のＢＷＰにおいて送信されるＰＤＳＣＨおよび／またはＰＤＣＣＨを受信するために設定されるあるいはアクティブにされ得る。一実施形態では、ＵＥは、ＢＷＰインジケータフィールドで設定され得る。ＵＥがＢＷＰインジケータフィールドで設定されるとき、ＤＣＩはＢＷＰインジケータフィールドを含むことができる。
【００９３】
一実施形態では、ＵＥが（現在の）アクティブＢＷＰと異なるＢＷＰを示すＢＷＰインジケータフィールドを受信するとき、ＵＥは、アクティブＢＷＰからＢＷＰインジケータによって示されるＢＷＰに切り替えることができる。さらに、ＵＥが（現在の）アクティブＢＷＰと同じＢＷＰを示すＢＷＰインジケータフィールドが受信するとき、ＵＥは（現在の）アクティブＢＷＰ上で信号を送受信することができる。
【００９４】
一実施形態では、第１のＢＷＰは、ＤＬ  ＢＷＰまたはＵＬ  ＢＷＰとすることができる。また、第２のＢＷＰは、ＤＬ  ＢＷＰまたはＵＬ  ＢＷＰとすることができる。ＤＣＩは、ＤＣＩフォーマット１＿０またはＤＣＩフォーマット０＿０を指すことができる。ＵＥは、第１のＢＷＰの設定に基づいて、ＤＣＩ内のフィールドを解釈または処理することができる。フィールドはＴＣＩフィールドとすることができる。
【００９５】
実施形態３−ＵＥは、第１のＢＷＰにおけるスケジューリングＣＯＲＥＳＥＴ内のＤＣＩを受信または監視する。ＤＣＩ内の帯域幅部分（ＢＷＰ）インジケータフィールドは、第１のＢＷＰとは異なる第２のＢＷＰを示す。一実施形態では、ＤＣＩは、ＤＬアクティブＢＷＰ変更を示す。
【００９６】
ＵＥは、スケジューリングＣＯＲＥＳＥＴの設定（例えば、TCI-PresentInDCI）に基づいて、ＴＣＩフィールドがＤＣＩ内に存在するかどうかを決定および／または仮定する。一実施形態では、ＵＥがＤＣＩを（首尾よく）デコードする前に、ＵＥは、スケジューリングＣＯＲＥＳＥＴの設定（例えば、TCI-PresentInDCI）に基づいて、ＴＣＩフィールドがスケジューリングＣＯＲＥＳＥＴ内のＤＣＩ内に存在するかどうかを決定または仮定することができる。特に、ＵＥがＤＣＩを（首尾よく）デコードする前に、デコードのためのＤＣＩのサイズを決定するために、ＵＥは、スケジューリングＣＯＲＥＳＥＴの設定（例えば、TCI-PresentInDCI）に基づいてＴＣＩフィールドがスケジューリングＣＯＲＥＳＥＴ内のＤＣＩ内に存在するかどうかを決定または仮定することができる。
【００９７】
ＵＥがＤＣＩを受信または（首尾よく）デコードする場合またはその後に、ＵＥはアクティブＤＬ  ＢＷＰを第１のＢＷＰから第２のＢＷＰに変更することができる。一実施形態では、第２のＢＷＰのインデックスは、ＤＣＩ内のＢＷＰインジケータフィールドによって示され得る。ＵＥがＤＣＩを受信または（首尾よく）デコードするときまたはその後に、ＵＥは、スケジューリングＣＯＲＥＳＥＴの設定におけるTCI-PresentInDCIに関わらず、ＴＣＩフィールドが存在するあるいは存在しないと仮定することができ、以下の選択肢で実装され得る。
【００９８】
選択肢１  −  ＵＥがＤＣＩを受信または（首尾よく）デコードするときまたはその後であって、スケジューリングＣＯＲＥＳＥＴに対するTCI-PresentInDCIが「無効」であるとき、ＵＥはＴＣＩフィールドがＤＣＩ内に存在すると仮定し、ＴＣＩフィールドの値を仮定する、例えば、ＴＣＩフィールドのビット長が３ビットであるとき、ＴＣＩフィールドの値が「０００」と仮定することができる。一実施形態では、ＵＥは、ＴＣＩフィールドがゼロ長で存在し、ＴＣＩフィールドにゼロビットを全長までパディングする、例えば、ＴＣＩフィールドのビット長が３ビットであると仮定して、ゼロビットを「０００」の値までパディングする。特に、ＵＥは、スケジューリングＣＯＲＥＳＥＴに対するTCI-PresentInDCIおよび／または新しいＢＷＰにおける１つ以上のＣＯＲＥＳＥＴに対するTCI-PresentInDCIに関わらず、ＴＣＩフィールドが存在すると仮定し、かつ／あるいはＴＣＩフィールドの値を仮定する（例えば、ＴＣＩフィールドのビット長が３ビットであるとき、ＴＣＩフィールドの値が「０００」であると仮定する）ことができる。
【００９９】
一実施形態では、ＴＣＩフィールドがＤＣＩ内に存在しないとき、ＵＥは、対応ＰＤＳＣＨを受信するために適用されるＴＣＩフィールドの値を仮定または使用することができる（例えば、ＴＣＩフィールドのビット長が３ビットであるとき、ＴＣＩフィールドの値が「０００」であると仮定するか、あるいは「０００」を使用する）。TCI-PresentInDCIがスケジューリングＣＯＲＥＳＥＴに対して「無効」であり、第２のＢＷＰにおけるすべてのＣＯＲＥＳＥＴに対するTCI-PresentInDCIが「無効」であるとき、ＵＥは、ＴＣＩフィールドの値を仮定する、例えば、ＴＣＩフィールドのビット長が３ビットであるとき、ＴＣＩフィールドの値が「０００」であると仮定することができる。
【０１００】
一実施形態では、TCI-PresentInDCIがスケジューリングＣＯＲＥＳＥＴに対して「有効」であり、第２のＢＷＰにおけるすべてのＣＯＲＥＳＥＴに対するTCI-PresentInDCIが「無効」であるとき、ＵＥは、ＴＣＩフィールドの値を仮定する、例えば、ＴＣＩフィールドのビット長が３ビットであるとき、ＴＣＩフィールドの値が「０００」であると仮定することができ、ＵＥは、ＤＣＩ内のＴＣＩフィールドに示された（まさにその）値を破棄し、無視し、あるいは使用しないことができる。
【０１０１】
選択肢２  −  ＵＥがＤＣＩを受信または（首尾よく）デコードするときまたはその後に、TCI-PresentInDCIがスケジューリングＣＯＲＥＳＥＴに対して「有効」であるとき、ＵＥは、ＴＣＩフィールドがＤＣＩ内に存在しないと仮定し、かつ／あるいはＤＣＩ内のＴＣＩフィールドがゼロ長に切り捨てられると仮定することができる。特に、ＵＥがＤＣＩを受信または（首尾よく）デコードするときまたはその後に、ＵＥは、スケジューリングＣＯＲＥＳＥＴに対するTCI-PresentInDCIおよび／または新しいＢＷＰにおける１つ以上のＣＯＲＥＳＥＴに対するTCI-PresentInDCIに関わらず、ＴＣＩフィールドがＤＣＩ内に存在しないと仮定し、かつ／あるいはＤＣＩ内のＴＣＩフィールドをゼロ長に切り捨てることができる。
【０１０２】
一実施形態では、ＴＣＩフィールドがＤＣＩ内に存在するとき、ＵＥは、ＴＣＩフィールドを破棄し、無視し、あるいは使用しない。ＵＥは、ＤＣＩ内のＴＣＩフィールドが特定の値以外の値を示すことを期待しなくてもよい（例えば、ＴＣＩフィールドのビット長が３ビットであると仮定して、特定の値は「０００」とすることができる）。
【０１０３】
一実施形態では、ＵＥは、ＴＣＩ状態に基づいて対応ＰＤＳＣＨを受信することができる。ＴＣＩ状態は、ＴＣＩフィールドによって明示的または黙示的に示され得る。ＴＣＩ状態は、第１のＢＷＰまたは第２のＢＷＰにおいて送信されたＰＤＳＣＨまたはＰＤＣＣＨを受信するために設定されたあるいはアクティブにされたＴＣＩ状態とすることができる。代替的に、ＴＣＩ状態は、スケジューリングＣＯＲＥＳＥＴを受信するために適用されるＴＣＩ状態と同一とすることができる。追加的に、ＴＣＩ状態がＴＣＩフィールドによって明示的または黙示的に示されないとき、ＵＥはＴＣＩ状態がスケジューリングＣＯＲＥＳＥＴに適用されるＴＣＩ状態と同一であると仮定することができる。代替的に、ＴＣＩ状態がＴＣＩフィールドによって明示的または黙示的に示されないとき、ＵＥは、ＴＣＩ状態が第２のＢＷＰにおけるＣＯＲＥＳＥＴのうちの１つ、例えば、第２のＢＷＰ内で１つ以上のＣＯＲＥＳＥＴが設定される最新スロットにおいて最も低いＣＯＲＥＳＥＴ−ＩＤを有するＣＯＲＥＳＥＴに適用されるＴＣＩ状態と同一であると仮定することができる。
【０１０４】
一実施形態では、ＵＥは、対応ＰＤＳＣＨの１つのＤＭ−ＲＳポートグループのアンテナポートが、ＴＣＩ状態によって与えられるＱＣＬタイプパラメータに関して、ＲＳセット内の参照信号と準同一位置にあると仮定することができる。ＵＥは、ＴＣＩ状態によって与えられるＱＣＬタイプパラメータに関して、ＲＳセット内の参照信号から導出されたアンテナポート準同一位置情報を介して対応ＰＤＳＣＨを受信することができる。
【０１０５】
一実施形態では、ＵＥは、ＢＷＰインジケータフィールドで設定され得る。ＵＥがＢＷＰインジケータフィールドで設定されるとき、ＤＣＩはＢＷＰインジケータフィールドを含むことができる。ＵＥが（現在の）アクティブＢＷＰと異なるＢＷＰを示すＢＷＰインジケータフィールドを受信するとき、ＵＥは、アクティブＢＷＰからＢＷＰインジケータによって示されるＢＷＰに切り替えることができる。ＵＥが（現在の）アクティブＢＷＰと同じＢＷＰを示すＢＷＰインジケータフィールドが受信するとき、ＵＥは（現在の）アクティブＢＷＰ上で信号を送受信することができる。
【０１０６】
実施形態では、第１のＢＷＰは、ＤＬ  ＢＷＰまたはＵＬ  ＢＷＰとすることができる。また、第２のＢＷＰは、ＤＬ  ＢＷＰまたはＵＬ  ＢＷＰとすることができる。ＤＣＩは、ＤＣＩフォーマット１＿０またはＤＣＩフォーマット０＿０を指すことができる。
【０１０７】
実施形態４  −  ＵＥは、第１のＢＷＰにおいてスケジューリングＣＯＲＥＳＥＴ内のＤＣＩを受信および／または監視する。ＤＣＩ内の帯域幅部分（ＢＷＰ）インジケータフィールドは、第１のＢＷＰとは異なる第２のＢＷＰを示す。一実施形態では、ＤＣＩは、ＤＬアクティブＢＷＰ変更を示すことができる。
【０１０８】
ＵＥは、スケジューリングＣＯＲＥＳＥＴの設定（例えば、TCI-PresentInDCI）に基づいて、ＴＣＩフィールドがＤＣＩ内に存在するかどうかを決定または仮定する。一実施形態では、ＵＥがＤＣＩを（首尾よく）デコードする前に、ＵＥは、スケジューリングＣＯＲＥＳＥＴの設定（例えば、TCI-PresentInDCI）に基づいて、ＴＣＩフィールドがスケジューリングＣＯＲＥＳＥＴ内のＤＣＩ内に存在するかどうかを決定または仮定することができる。特に、ＵＥがＤＣＩを（首尾よく）デコードする前に、デコードのためのＤＣＩのサイズを決定するために、ＵＥは、スケジューリングＣＯＲＥＳＥＴの設定（例えば、TCI-PresentInDCI）に基づいて、ＴＣＩフィールドがスケジューリングＣＯＲＥＳＥＴ内のＤＣＩ内に存在するかどうかを決定または仮定することができる。
【０１０９】
ＵＥがＤＣＩを受信または（首尾よく）デコードする場合またはその後に、ＵＥはアクティブＤＬ  ＢＷＰを第１のＢＷＰから第２のＢＷＰに変更することができる。第２のＢＷＰのインデックスはＤＣＩに示され得る。
【０１１０】
ＵＥは、時間ウィンドウで設定されるあるいは時間ウィンドウが示され得る。一実施形態では、時間ウィンドウは、ＵＥがＤＣＩを受信するときの時間単位で開始することができる。代替的に、時間ウィンドウは、ＵＥが第２のＢＷＰに切り替わるときの時間単位で開始することができる。代替的に、時間ウィンドウは、ＢＷＰスイッチング遅延の後に時間単位で開始することができる。一実施形態では、ＢＷＰスイッチング遅延は、ＵＥの能力に依存することができる。さらに、ＢＷＰスイッチング遅延は、ＵＥがＢＷＰスイッチングを準備するための十分な時間を有することを保証する。
【０１１１】
一実施形態では、時間ウィンドウは、ＵＥが、第２のＢＷＰにおいてＰＤＳＣＨを受信するためにアクティブにされるＴＣＩ状態に関連するＲＳを測定するためのものとすることができる。対応ＰＤＳＣＨの開始シンボルは、時間ウィンドウの終わりにあるいは時間ウィンドウの終了後にあるとすることができる。一実施形態では、対応ＰＤＳＣＨの開始シンボルは、常に、時間ウィンドウの終わりにあり、かつ／あるいは常に、時間ウィンドウの終了後にある。ＵＥは、対応ＰＤＳＣＨの開始シンボルが、時間ウィンドウの終わりにあるいは時間ウィンドウの終了後にあると仮定することができる。一実施形態では、ＵＥは、対応ＰＤＳＣＨの開始シンボルが時間ウィンドウ内にあることを期待しなくてもよい。
【０１１２】
一実施形態では、対応ＰＤＳＣＨの開始シンボルが時間ウィンドウ内にあるとき、ＵＥは、対応ＰＤＳＣＨを受信しなくてもよく、ＵＥは、対応ＰＤＳＣＨを破棄するか、あるいは無視し、かつ／あるいはＵＥは、ネットワークに否定応答（例えば、ＮＡＣＫ）を送信してもよい。
【０１１３】
一実施形態では、ＵＥは、ＢＷＰインジケータフィールドで設定され得る。ＵＥがＢＷＰインジケータフィールドで設定されるとき、ＤＣＩはＢＷＰインジケータフィールドを含むことができる。さらに、ＵＥが（現在の）アクティブＢＷＰと異なるＢＷＰを示すＢＷＰインジケータフィールドを受信すると、ＵＥは、アクティブＢＷＰからＢＷＰインジケータフィールドによって示されるＢＷＰに切り替えることができる。追加的に、ＵＥが（現在の）アクティブＢＷＰと同じＢＷＰを示すＢＷＰインジケータフィールドを受信するとき、ＵＥは（現在の）アクティブＢＷＰ上で信号を送受信することができる。
【０１１４】
一実施形態では、第１のＢＷＰは、ＤＬ  ＢＷＰまたはＵＬ  ＢＷＰとすることができる。また、第２のＢＷＰは、ＤＬ  ＢＷＰまたはＵＬ  ＢＷＰとすることができる。ＤＣＩは、ＤＣＩフォーマット１＿０またはＤＣＩフォーマット０＿０を指すことができる。
【０１１５】
図５は、ＵＥの観点からの、例示的な一実施形態によるフローチャート５００である。ステップ５０５では、ＵＥは、第１のＤＬ  ＢＷＰおよび第２のＤＬ  ＢＷＰで設定される。ステップ５１０では、ＵＥは、第１のＤＬ  ＢＷＰにおいてスケジューリングＣＯＲＥＳＥＴ内のＤＣＩを受信および／または監視し、デコードのためのＤＣＩのサイズを決定するために、ＵＥがＤＣＩを首尾よくデコードする前に、ＵＥは、スケジューリングＣＯＲＥＳＥＴのパラメータに基づいて、ＴＣＩフィールドがＤＣＩに存在するかどうかを決定する。ステップ５１５では、ＵＥがＤＣＩを首尾よくデコードした後に、ＵＥは、第２のＤＬ  ＢＷＰの設定に基づいて、ＤＣＩ内のＴＣＩフィールド以外の少なくとも１つのフィールドを切り捨て、あるいはそのフィールドにゼロビットをパディングし、ここで、ＤＣＩ内のＢＷＰインジケータフィールドは、第１のＤＬ  ＢＷＰとは異なる第２のＤＬ  ＢＷＰを示す。ステップ５２０では、ＵＥがＤＣＩを首尾よくデコードした後に、ＵＥは、第１のＤＬ  ＢＷＰにおけるスケジューリングＣＯＲＥＳＥＴのパラメータに基づいて、ＴＣＩフィールドがＤＣＩ内に存在するかどうかを決定し、ここで、ＤＣＩ内のＢＷＰインジケータフィールドは、第１のＤＬ  ＢＷＰとは異なる第２のＤＬ  ＢＷＰを示す。
【０１１６】
一実施形態では、パラメータは、TCI-PresentInDCIとすることができる。さらに、ＵＥは、ＴＣＩフィールドがＤＣＩ内に存在すると決定されたとき、ＤＣＩ内のＴＣＩフィールドによって示されるＴＣＩ状態に基づいてＤＣＩによってスケジューリングされる対応ＰＤＳＣＨを受信することができ、ここで、ＴＣＩ状態は、第２のＤＬ  ＢＷＰにおいて送信されるＰＤＳＣＨを受信するように設定および／またはアクティブ化される。追加的に、あるいはより具体的には、ＵＥは、ＴＣＩ状態によって与えられるＱＣＬタイプパラメータに関して、ＲＳセット内の参照信号から導出されるアンテナポート準同一位置情報を介して、対応ＰＤＳＣＨを受信することができる。
【０１１７】
一実施形態では、ＵＥがＤＣＩを首尾よくデコードした後、ＵＥは、第２のＤＬ  ＢＷＰにおける１つ以上のＣＯＲＥＳＥＴのパラメータまたは第２のＤＬ  ＢＷＰの設定に関係なく、第１のＤＬ  ＢＷＰにおけるスケジューリングＣＯＲＥＳＥＴのパラメータに基づいて、ＴＣＩフィールドがＤＣＩ内に存在するかどうかを決定することができる。さらに、ＵＥがＤＣＩを首尾よくデコードした後、ＵＥは、第２のＤＬ  ＢＷＰにおける１つ以上のＣＯＲＥＳＥＴのパラメータに基づいて、あるいは第２のＤＬ  ＢＷＰの設定に基づいて、ＤＣＩ内のＴＣＩフィールドにゼロビットを切り捨て、あるいはパディングすることをしなくてもよい。追加的に、ＵＥがＤＣＩを首尾よくデコードした後、ＵＥは、アクティブなＤＬ  ＢＷＰを第１のＢＷＰから第２のＢＷＰに切り替えることができ、ＵＥは、第２のＢＷＰにおいて対応ＰＤＳＣＨを受信する。
【０１１８】
一実施形態では、ＵＥがフィールドを切り捨てるとは、ＵＥがＤＣＩを首尾よくデコードした後に、ＵＥがＤＣＩ内のフィールドの部分ビットのみを使用することを意味することができる。
【０１１９】
一実施形態では、ＵＥがフィールドにゼロビットをパディングするとは、ＵＥがＤＣＩを首尾よくデコードした後に、ＵＥが、ＤＣＩ内のフィールドに１つ以上のゼロビットを先頭に付けることを意味することができる。
【０１２０】
一実施形態では、ＵＥがＤＣＩを首尾よくデコードする前に、少なくとも１つのフィールドのフィールドサイズが、第１のＤＬ  ＢＷＰの設定に基づいて決定され得る。第１のＤＬ  ＢＷＰの設定に基づいて決定される少なくとも１つのフィールドのフィールドサイズは、第２のＤＬ  ＢＷＰの設定に基づいて決定される少なくとも１つのフィールドのフィールドサイズとは異なることができる。第２のＤＬ  ＢＷＰにおいて決定される少なくとも１つのフィールドのフィールドサイズが、第１のＤＬ  ＢＷＰにおいて決定される少なくとも１つのフィールドのフィールドサイズよりも大きい場合、ＵＥは、ＤＣＩを首尾よくデコードした後に、少なくとも１つのフィールドにゼロビットをパディングすることができる。さらに、第２のＤＬ  ＢＷＰにおいて決定される少なくとも１つのフィールドのフィールドサイズが、第１のＤＬ  ＢＷＰにおいて決定される少なくとも１つのフィールドのフィールドサイズよりも小さい場合、ＵＥがＤＣＩを首尾よくデコードした後に、ＵＥは、少なくとも１つのフィールドを切り捨てることができる。
【０１２１】
一実施形態では、少なくとも１つのフィールドは、周波数領域リソース割り当てフィールドとすることができる。ＵＥは、第２のＤＬ  ＢＷＰの設定に基づいて実行されるゼロビットのパディングまたは切り捨てを伴う周波数領域リソース割り当てフィールド値によって示される周波数領域リソース上で対応ＰＤＳＣＨを受信することができる。
【０１２２】
図３および図４に戻って参照すると、第１のＤＬ  ＢＷＰおよび第２のＤＬ  ＢＷＰで設定されるＵＥの例示的な一実施形態では、デバイス３００は、メモリ３１０に記憶されたプログラムコード３１２を含む。ＣＰＵ３０８は、プログラムコード３１２を実行して、ＵＥが、（ｉ）第１のＤＬ  ＢＷＰにおいてスケジューリングＣＯＲＥＳＥＴ内のＤＣＩを受信および／または監視し、デコードのためのＤＣＩのサイズを決定するために、ＵＥがＤＣＩを首尾よくデコードする前に、ＵＥは、スケジューリングＣＯＲＥＳＥＴのパラメータに基づいて、ＴＣＩフィールドがＤＣＩ内に存在するかどうかを決定することと、（ｉｉ）ＵＥがＤＣＩを首尾よくデコードした後、第２のＤＬ  ＢＷＰの設定に基づいて、ＤＣＩ内のＴＣＩフィールド以外の少なくとも１つのフィールドにゼロビットを切り捨て、あるいはパディングすること（ここで、ＤＣＩ内の帯域幅インジケータフィールドは、第１のＤＬ  ＢＷＰとは異なる第２のＤＬ  ＢＷＰを示す）と、（ｉｉｉ）前記ＵＥが前記ＤＣＩを首尾よくデコードした後、前記ＵＥは、前記第１のＤＬ  ＢＷＰにおける前記スケジューリングＣＯＲＥＳＥＴのパラメータに基づいて、前記ＴＣＩフィールドがＤＣＩに存在するかどうかを決定すること（ここで、ＤＣＩ内の帯域幅インジケータフィールドは、第１のＤＬ  ＢＷＰとは異なる第２のＤＬ  ＢＷＰを示す。）と、を行うことを可能にすることができる。さらに、ＣＰＵ３０８は、プログラムコード３１２を実行して、上述のすべての動作およびステップ、または本明細書で説明した他のことを実行することができる。
【０１２３】
図６は、ＵＥの観点からの、例示的な一実施形態によるフローチャート６００である。ステップ６０５では、ＵＥは、第１のＢＷＰにおいてスケジューリングＣＯＲＥＳＥＴ内のＤＣＩを受信および／または監視し、ここで、ＤＣＩ内のＢＷＰインジケータフィールドは、第１のＢＷＰとは異なる第２のＢＷＰを示す。ステップ６１０では、ＵＥは、スケジューリングＣＯＲＥＳＥＴの設定に基づいてＴＣＩフィールドが（ＤＣＩ内に）存在するかどうかを決定する。
【０１２４】
一実施形態では、スケジューリングＣＯＲＥＳＥＴの設定は、TCI-PresentInDCIとすることができる。ＤＣＩがＴＣＩフィールドを含まないとき、ＵＥはＴＣＩフィールドが（ＤＣＩ内に）存在しないと決定することができる。より具体的には、ＤＣＩがＴＣＩフィールドを含まないとき、ＵＥは、第２のＢＷＰにおける１つ以上のＣＯＲＥＳＥＴの設定がＴＣＩフィールド有効とするにも関わらず、ＴＣＩフィールドが（ＤＣＩ内に）存在しないと決定することができる。言い換えると、ＤＣＩがＴＣＩフィールドを含まないとき、ＵＥは、第２のＢＷＰにおける１つ以上のＣＯＲＥＳＥＴに対するTCI-PresentInDCIが「有効」であるかに関わらず、ＴＣＩフィールドが（ＤＣＩ内に）存在しないと決定することができる。
【０１２５】
一方、ＤＣＩがＴＣＩフィールドを含む場合、ＵＥは、第２のＢＷＰにおける１つ以上のＣＯＲＥＳＥＴの設定がＴＣＩフィールド無効とするのも関わらず、ＴＣＩフィールドが（ＤＣＩ内に）存在すると決定することができる。より具体的には、ＤＣＩがＴＣＩフィールドを含むとき、ＵＥは、第２のＢＷＰにおける１つ以上のＣＯＲＥＳＥＴに対するTCI-PresentInDCIが「無効」であるかに関わらず、ＴＣＩフィールドが（ＤＣＩ内に）存在すると決定することができる。
【０１２６】
一実施形態では、スケジューリングＣＯＲＥＳＥＴがＴＣＩフィールドを有して設定される場合、ＤＣＩはＴＣＩフィールドを含むことができる。スケジューリングＣＯＲＥＳＥＴに対するTCI-PresentInDCIが「有効」である場合、ＤＣＩはＴＣＩフィールドを含むことができる。ＵＥはＴＣＩ状態に基づいてスケジューリングされたＰＤＳＣＨを受信することができる。ＴＣＩ状態は、ＤＣＩ内のＴＣＩフィールドによって明示的または黙示的に示され得る。ＴＣＩ状態は、第１のＢＷＰおよび／または第２のＢＷＰにおいて送信されるＰＤＳＣＨまたはＰＤＣＣＨを受信するために設定されたあるいはアクティブにされたＴＣＩ状態とすることができる。
【０１２７】
一実施形態では、ＴＣＩ状態は、スケジューリングＣＯＲＥＳＥＴを受信するために適用されるＴＣＩ状態と同一とすることができる。ＴＣＩ状態がＴＣＩフィールドによって明示的または黙示的に示されないとき、ＵＥはＴＣＩ状態がスケジューリングＣＯＲＥＳＥＴに適用されるＴＣＩ状態と同一であると仮定することができる。より具体的には、ＴＣＩ状態がＴＣＩフィールドによって明示的または黙示的に示されないとき、ＵＥは、ＴＣＩ状態が第２のＢＷＰにおけるＣＯＲＥＳＥＴのうちの１つ、例えば、第２のＢＷＰ内で１つ以上のＣＯＲＥＳＥＴが設定される最新スロットにおいて最も低いＣＯＲＥＳＥＴ−ＩＤを有するＣＯＲＥＳＥＴに適用されるＴＣＩ状態と同一であると仮定することができる。
【０１２８】
一実施形態では、ＵＥは、対応ＰＤＳＣＨの１つのＤＭ−ＲＳポートグループのアンテナポートが、ＴＣＩ状態によって与えられるＱＣＬタイプパラメータに関して、ＲＳセット内の参照信号と準同一位置にあると仮定することができる。さらに、ＵＥは、ＴＣＩ状態によって与えられるＱＣＬタイプパラメータに関して、ＲＳセット内の参照信号から導出されたアンテナポート準同一位置情報を介して対応ＰＤＳＣＨを受信することができる。一実施形態では、ＴＣＩ状態は、第１のＢＷＰおよび／または第２のＢＷＰにおいて送信されるＰＤＳＣＨおよび／またはＰＤＣＣＨを受信するために設定されるあるいはアクティブにされ得る。
【０１２９】
一実施形態では、ＵＥは、ＢＷＰインジケータフィールドで設定され得る。ＵＥがＢＷＰインジケータフィールドで設定されるとき、ＤＣＩはＢＷＰインジケータフィールドを含むことができる。ＢＷＰインジケータフィールドが（現在の）アクティブＢＷＰと異なるＢＷＰを示すとき、ＵＥは、アクティブＢＷＰからＢＷＰインジケータによって示されるＢＷＰに切り替えることができる。ＢＷＰインジケータフィールドが（現在の）アクティブＢＷＰと同じＢＷＰを示すとき、ＵＥは（現在の）アクティブＢＷＰ上で信号を送受信することができる。第１のＢＷＰは、ＤＬ  ＢＷＰまたはＵＬ  ＢＷＰとすることができる。また、第２のＢＷＰは、ＤＬ  ＢＷＰまたはＵＬ  ＢＷＰとすることができる。ＤＣＩは、ＤＣＩフォーマット１＿０またはＤＣＩフォーマット０＿０を指すことができる。
【０１３０】
図３および図４に戻って参照すると、ＵＥの例示的な一実施形態では、デバイス３００は、メモリ３１０に記憶されたプログラムコード３１２を含む。ＣＰＵ３０８は、プログラムコード３１２を実行して、ＵＥが、（ｉ）第１のＢＷＰにおいてスケジューリングＣＯＲＥＳＥＴ内のＤＣＩを受信および／または監視すること（ここで、ＤＣＩ内のＢＷＰインジケータフィールドは、第１のＢＷＰとは異なる第２のＢＷＰを示す）と、（ｉｉ）スケジューリングＣＯＲＥＳＥＴの設定に基づいてＴＣＩフィールドが（ＤＣＩ内に）存在するかどうかを決定すること、を行うことを可能にすることができる。さらに、ＣＰＵ３０８は、プログラムコード３１２を実行して、上述のすべての動作およびステップ、または本明細書で説明した他のことを実行することができる。
【０１３１】
図７は、ＵＥの観点からの例示的な一実施形態によるフローチャート７００である。ステップ７０５では、ＵＥは、第１のＢＷＰにおけるスケジューリングＣＯＲＥＳＥＴ内のＤＣＩを受信および／または監視し、ここで、ＤＣＩ内のＢＷＰインジケータフィールドは、第１のＢＷＰとは異なる第２のＢＷＰを示す。ステップ７１０では、ＵＥがＤＣＩを処理または解釈する場合、TCI-PresentInDCIがスケジューリングＣＯＲＥＳＥＴ対して「無効」であるとき、ＵＥは、ＴＣＩフィールドがＤＣＩ内に存在すると仮定し、ＴＣＩフィールドの値を仮定する。
【０１３２】
一実施形態では、ＵＥは、スケジューリングＣＯＲＥＳＥＴに対するTCI-PresentInDCIおよび／または新しいＢＷＰにおける１つ以上のＣＯＲＥＳＥＴに対するTCI-PresentInDCIに関わらず、ＴＣＩフィールドが存在すると仮定することができ、かつ／あるいはＴＣＩフィールドの値を仮定する、例えば、ビットフィールドが３ビット長であるとき、ＴＣＩフィールドの値が「０００」であると仮定することができる。さらに、ＵＥは、ＴＣＩフィールドがゼロの長さで存在すると仮定することができ、ゼロビットをＴＣＩフィールドにフル長までパディングすることができる、例えば、ビットフィールドが３ビット長であるとき、ゼロビットを値「０００」までパディングする。
【０１３３】
一実施形態では、ＴＣＩフィールドがＤＣＩ内に存在しないとき、ＵＥは、対応ＰＤＳＣＨを受信するために適用されるＴＣＩフィールドの値を仮定または使用する（例えば、ＴＣＩフィールドの値が「０００」であると仮定するか、あるいはビットフィールドが３ビット長であるとき、「０００」を使用する）。さらに、スケジューリングＣＯＲＥＳＥＴに対してTCI-PresentInDCIが「無効」であり、新しいＢＷＰにおけるすべてのＣＯＲＥＳＥＴに対するTCI-PresentInDCIが「無効」であるとき、ＵＥは、ＴＣＩフィールドの値を仮定する、例えば、ビットフィールドが３ビット長であるとき、ＴＣＩフィールドの値が「０００」であると仮定することができる。スケジューリングＣＯＲＥＳＥＴに対してTCI-PresentInDCIが「有効」であり、新しいＢＷＰにおけるすべてのＣＯＲＥＳＥＴに対するTCI-PresentInDCIが「無効」であるとき、ＵＥは、ＤＣＩ内のＴＣＩフィールドを切り捨てることによってＤＣＩを解釈することができ、ＴＣＩフィールドの値を想定することができる、例えば、ビットフィールドが３ビット長であるとき、ＴＣＩフィールドの値が「０００」であると仮定することができる。
【０１３４】
一実施形態では、ＵＥは、ＴＣＩ状態に基づいてスケジューリングされたＰＤＳＣＨを受信することができる。ＴＣＩ状態は、ＴＣＩフィールドによって明示的または黙示的に示され得る。さらに、ＴＣＩ状態は、第１のＢＷＰまたは第２のＢＷＰにおいて送信されたＰＤＳＣＨ／ＰＤＣＣＨを受信するように設定されたあるいはアクティブにされたＴＣＩ状態とすることができる。さらに、ＴＣＩ状態は、スケジューリングＣＯＲＥＳＥＴを受信するために適用されるＴＣＩ状態と同一とすることができる。ＴＣＩ状態がＴＣＩフィールドによって明示的または黙示的に示されないとき、ＵＥはＴＣＩ状態がスケジューリングＣＯＲＥＳＥＴに適用されるＴＣＩ状態と同一であると仮定することができる。より具体的には、ＴＣＩ状態がＴＣＩフィールドによって明示的または黙示的に示されないとき、ＵＥは、ＴＣＩ状態が第２のＢＷＰにおけるＣＯＲＥＳＥＴのうちの１つ、例えば、第２のＢＷＰ内で１つ以上のＣＯＲＥＳＥＴが設定される最新スロットにおいて最も低いＣＯＲＥＳＥＴ−ＩＤを有するＣＯＲＥＳＥＴに適用されるＴＣＩ状態と同一であると仮定することができる。
【０１３５】
一実施形態では、ＵＥは、対応ＰＤＳＣＨの１つのＤＭ−ＲＳポートグループのアンテナポートが、ＴＣＩ状態によって与えられるＱＣＬタイプパラメータに関して、ＲＳセット内の参照信号と準同一位置にあると仮定することができる。また、ＵＥは、ＴＣＩ状態によって与えられるＱＣＬタイプパラメータに関して、ＲＳセット内の参照信号から導出されたアンテナポート準同一位置情報を介して対応ＰＤＳＣＨを受信することができる。ＴＣＩ状態は、第１のＢＷＰまたは第２のＢＷＰにおいて送信されるＰＤＳＣＨおよび／またはＰＤＣＣＨを受信するために設定されるあるいはアクティブにされ得る。
【０１３６】
一実施形態では、ＵＥは、ＢＷＰインジケータフィールドで設定され得る。ＵＥがＢＷＰインジケータフィールドで設定されるとき、ＤＣＩはＢＷＰインジケータフィールドを含むことができる。ＢＷＰインジケータフィールドが（現在の）アクティブＢＷＰと異なるＢＷＰを示すとき、ＵＥは、アクティブＢＷＰからＢＷＰインジケータによって示されるＢＷＰに切り替えることができる。ＢＷＰインジケータフィールドが（現在の）アクティブＢＷＰと同じＢＷＰを示すとき、ＵＥは（現在の）アクティブＢＷＰ上で信号を送受信することができる。
【０１３７】
一実施形態では、第１のＢＷＰは、ＤＬ  ＢＷＰまたはＵＬ  ＢＷＰとすることができる。また、第２のＢＷＰは、ＤＬ  ＢＷＰまたはＵＬ  ＢＷＰとすることができる。ＤＣＩは、ＤＣＩフォーマット１＿０またはＤＣＩフォーマット０＿０を指すことができる。
【０１３８】
図３および図４に戻って参照すると、ＵＥの例示的な一実施形態では、デバイス３００は、メモリ３１０に記憶されたプログラムコード３１２を含む。ＣＰＵ３０８は、プログラムコード３１２を実行して、ＵＥが、（ｉ）第１のＢＷＰにおけるスケジューリングＣＯＲＥＳＥＴ内のＤＣＩを受信および／または監視すること（ここで、ＤＣＩ内のＢＷＰインジケータフィールドは、第１のＢＷＰとは異なる第２のＢＷＰを示す）と、（ｉｉ）ＵＥがＤＣＩを処理または解釈する場合、TCI-PresentInDCIがスケジューリングＣＯＲＥＳＥＴ対して「無効」であるときに、ＵＥは、ＤＣＩ内にＴＣＩフィールドが存在すると仮定し、ＴＣＩフィールドの値を仮定することと、を行うことを可能にすることができる。さらに、ＣＰＵ３０８は、プログラムコード３１２を実行して、上述のすべての動作およびステップ、または本明細書で説明した他のことを実行することができる。
【０１３９】
図８は、ＵＥの観点からの例示的な一実施形態によるフローチャート８００である。ステップ８０５では、ＵＥは、第１のＢＷＰにおいてスケジューリングＣＯＲＥＳＥＴ内のＤＣＩを受信および／または監視し、ここで、ＤＣＩ内のＢＷＰインジケータフィールドは、第１のＢＷＰとは異なる第２のＢＷＰを示す。ステップ８１０では、ＵＥがＤＣＩを処理または解釈する場合、TCI-PresentInDCIがスケジューリングＣＯＲＥＳＥＴに対して「有効」であるとき、ＴＣＩフィールドがＤＣＩ内に存在しないと仮定し、かつ／あるいはＤＣＩ内のＴＣＩフィールドをゼロ長に切り捨てる。
【０１４０】
一実施形態では、ＵＥがＤＣＩを受信または（首尾よく）デコードするとき、またはその後に、ＵＥは、スケジューリングＣＯＲＥＳＥＴに対するTCI-PresentInDCIおよび／または新しいＢＷＰにおける１つ以上のＣＯＲＥＳＥＴに対するTCI-PresentInDCIに関わらず、ＴＣＩフィールドがＤＣＩ内に存在しないと仮定することができ、かつ／あるいはＤＣＩ内のＴＣＩフィールドが、ゼロの長さに切り捨てられると仮定することができる。ＴＣＩフィールドがＤＣＩ内に存在する場合、ＵＥはＴＣＩフィールドを破棄するか、無視するか、あるいは使わなくてもよい。ＵＥは、ＤＣＩ内のＴＣＩフィールドがＴＣＩフィールドの特定の値以外のＴＣＩフィールドの値を示すことを期待しなくてもよい（例えば、ＵＥは、ビットフィールドが３ビット長のとき、ＤＣＩ内のＴＣＩフィールドが「０００」以外の値を示すことを期待しなくてもよい）。
【０１４１】
一実施形態では、ＵＥは、ＴＣＩ状態に基づいてスケジューリングされたＰＤＳＣＨを受信することができる。ＴＣＩ状態は、ＴＣＩフィールドによって明示的または黙示的に示され得る。また、ＴＣＩ状態は、第１のＢＷＰまたは第２のＢＷＰにおいて送信されたＰＤＳＣＨまたはＰＤＣＣＨを受信するように設定されたあるいはアクティブにされたＴＣＩ状態とすることができる。追加的に、ＴＣＩ状態は、スケジューリングＣＯＲＥＳＥＴを受信するために適用されるＴＣＩ状態と同一とすることができる。ＴＣＩ状態がＴＣＩフィールドによって明示的または黙示的に示されないとき、ＵＥはＴＣＩ状態がスケジューリングＣＯＲＥＳＥＴに適用されるＴＣＩ状態と同一であると仮定することができる。ＴＣＩ状態がＴＣＩフィールドによって明示的または黙示的に示されないとき、ＵＥは、ＴＣＩ状態が第２のＢＷＰにおけるＣＯＲＥＳＥＴのうちの１つ、例えば、第２のＢＷＰ内で１つ以上のＣＯＲＥＳＥＴが設定される最新スロットにおいて最も低いＣＯＲＥＳＥＴ−ＩＤを有するＣＯＲＥＳＥＴに適用されるＴＣＩ状態と同一であると仮定することができる。
【０１４２】
一実施形態では、ＵＥは、対応ＰＤＳＣＨの１つのＤＭ−ＲＳポートグループのアンテナポートが、ＴＣＩ状態によって与えられるＱＣＬタイプパラメータに関して、ＲＳセット内の参照信号と準同一位置にあると仮定することができる。ＵＥは、ＴＣＩ状態によって与えられるＱＣＬタイプパラメータに関して、ＲＳセット内の参照信号から導出されたアンテナポート準同一位置情報を介して対応ＰＤＳＣＨを受信することができる。ＴＣＩ状態は、第１のＢＷＰまたは第２のＢＷＰにおいて送信されるＰＤＳＣＨおよび／またはＰＤＣＣＨを受信するために設定されるあるいはアクティブにされ得る。
【０１４３】
一実施形態では、ＵＥは、ＢＷＰインジケータフィールドで設定され得る。ＵＥがＢＷＰインジケータフィールドで設定されるとき、ＤＣＩはＢＷＰインジケータフィールドを含むことができる。ＢＷＰインジケータフィールドが（現在の）アクティブＢＷＰと異なるＢＷＰを示すとき、ＵＥは、アクティブＢＷＰからＢＷＰインジケータによって示されるＢＷＰに切り替えることができる。ＢＷＰインジケータフィールドが（現在の）アクティブＢＷＰと同じＢＷＰを示すとき、ＵＥは（現在の）アクティブＢＷＰ上で信号を送受信することができる。第１のＢＷＰは、ＤＬ  ＢＷＰまたはＵＬ  ＢＷＰとすることができる。また、第２のＢＷＰは、ＤＬ  ＢＷＰまたはＵＬ  ＢＷＰとすることができる。ＤＣＩは、ＤＣＩフォーマット１＿０またはＤＣＩフォーマット０＿０を指すことができる。
【０１４４】
図３および図４に戻って参照すると、ＵＥの例示的な一実施形態では、デバイス３００は、メモリ３１０に記憶されたプログラムコード３１２を含む。ＣＰＵ３０８は、プログラムコード３１２を実行して、ＵＥが、（ｉ）第１のＢＷＰにおいてスケジューリングＣＯＲＥＳＥＴ内のＤＣＩを受信および／または監視すること（ここで、ＤＣＩ内のＢＷＰインジケータフィールドは、第１のＢＷＰとは異なる第２のＢＷＰを示す）と、（ｉｉ）ＤＣＩを処理または解釈する場合、TCI-PresentInDCIがスケジューリングＣＯＲＥＳＥＴに対して「有効」であるとき、ＴＣＩフィールドがＤＣＩ内に存在しないと仮定し、かつ／あるいはＤＣＩ内のＴＣＩフィールドをゼロ長に切り捨てることと、を行うことを可能にすることができる。さらに、ＣＰＵ３０８は、プログラムコード３１２を実行して、上述のすべての動作およびステップ、または本明細書で説明した他のことを実行することができる。
【０１４５】
以上、本開示の種々の態様を説明した。当然のことながら、本明細書の教示内容を多種多様な形態で具現化してよく、本明細書に開示されている如何なる特定の構造、機能、または両者も代表的なものに過ぎない。本明細書の教示内容に基づいて、当業者には当然のことながら、本明細書に開示される態様は、他の如何なる態様からも独立に実装されてよく、これら態様のうちの２つ以上が種々組み合わされてよい。例えば、本明細書に記載された態様のうちの任意の数の態様を用いて、装置が実装されてよく、方法が実現されてよい。追加的に、本明細書に記載された態様のうちの１つ以上の追加または代替で、他の構造、機能、または構造と機能を用いて、このような装置が実装されるようになっていてもよいし、このような方法が実現されるようになっていてもよい。上記概念の一部の一例として、いくつかの態様においては、パルス繰り返し周波数に基づいて、同時チャネルが確立されてよい。いくつかの態様においては、パルス位置またはオフセットに基づいて、同時チャネルが確立されてよい。いくつかの態様においては、時間ホッピングシーケンスに基づいて、同時チャネルが確立されてよい。いくつかの態様においては、パルス繰り返し周波数、パルス位置またはオフセットおよび時間ホッピングシーケンスに基づいて、同時チャネルが確立されてよい。
【０１４６】
当業者であれば、多様な異なるテクノロジおよび技術のいずれかを使用して、情報および信号を表わしてよいを理解するであろう。例えば、上記説明全体で言及されることがあるデータ、命令、コマンド、情報、信号、ビット、シンボル、およびチップは、電圧、電流、電磁波、磁場若しくは粒子、光場若しくは粒子、またはこれらの任意の組み合わせによって表わしてよい。
【０１４７】
さらに、当業者には当然のことながら、本明細書に開示された態様に関連して説明した種々の例示的な論理ブロック、モジュール、プロセッサ、手段、回路、およびアルゴリズムステップは、電子的ハードウェア（例えば、ソースコーディングまたはその他何らかの技術を用いて設計することがあるディジタル実装、アナログ実装、またはこれら２つの組み合わせ）、命令を含む種々の形態のプログラム若しくは設計コード（本明細書においては便宜上、「ソフトウェア」または「ソフトウェアモジュール」と称されることがある）、または両者の組み合わせとして実装されてよい。このハードウェアおよびソフトウェアの互換性を明確に示すため、種々の例示的な構成要素、ブロック、モジュール、回路、およびステップを、概略的にそれぞれの機能の側面から上述した。そのような機能がハードウェアとして実装されるか、ソフトウェアとして実装されるかは、特定用途およびシステム全体に課される設計上の制約によって決まる。当業者であれば、特定各用途に対して、説明した機能を様々なやり方で実装してもよいが、そのような実装の決定は、本開示の範囲からの逸脱の原因として解釈されるべきではない。
【０１４８】
追加的に、本明細書に開示される態様に関連して説明した種々の例示的な論理ブロック、モジュール、および回路は、集積回路（「ＩＣ」）、アクセス端末、またはアクセスポイント内で実装される、あるいはこれらによって実行されてよい。ＩＣとしては、汎用プロセッサ、ディジタルシグナルプロセッサ（ＤＳＰ）、特定用途向け集積回路（ＡＳＩＣ）、フィールドプログラマブルゲートアレイ（ＦＰＧＡ）、その他プログラマブル論理デバイス、ディスクリートゲート若しくはトランジスタロジック、ディスクリートハードウェアコンポーネント、電気部品、光学部品、機械部品、または本明細書で説明した機能を実行するように設計されたこれらの任意の組み合わせを含み、ＩＣ内、ＩＣ外、またはその両方に存在するコードまたは命令を実行してよい。汎用プロセッサは、マイクロプロセッサとしてよいが、代替として、プロセッサは、従来の任意のプロセッサ、コントローラ、マイクロコントローラ、または状態機械としてよい。また、プロセッサは、ＤＳＰとマイクロプロセッサとの組み合わせ、複数のマイクロプロセッサ、ＤＳＰコアと協働する１つ以上のマイクロプロセッサ、またはその他任意のこのような構成である、コンピュータデバイスの組み合わせとして実装されてよい。
【０１４９】
任意の開示プロセスにおけるステップの如何なる特定の順序または階層は、実例的な手法の一例であることが了解される。設計の選好に基づいて、プロセスにおけるステップの特定の順序または階層を、本開示の範囲内に留まりつつ、再構成してよいことが了解される。添付の方法の請求項は、種々のステップの要素を実例的な順序で示しており、提示の特定順序または階層に限定されることを意図していない。
【０１５０】
本明細書に開示される態様に関連して記載された方法またはアルゴリズムのステップを、ハードウェアにおいて直接具現化してよく、プロセッサにより実行されるソフトウェアモジュールにおいて具現化してよく、これら２つの組み合わせにおいて具現化してよい。（例えば、実行可能な命令および関連するデータを含む）ソフトウェアモジュールおよび他のデータは、ＲＡＭメモリ、フラッシュメモリ、ＲＯＭメモリ、ＥＰＲＯＭメモリ、ＥＥＰＲＯＭメモリ、レジスタ、ハードディスク、リムバーブルディスク、ＣＤ−ＲＯＭ等のデータメモリ、または当技術分野において知られているその他任意の形態のコンピュータ可読記憶媒体に存在してよい。実例的な記憶媒体がコンピュータ／プロセッサ（本明細書においては便宜上、「プロセッサ」と称されることがある）等の機械に結合されてよい、このようなプロセッサは、記憶媒体からの情報（例えば、コード）の読み出しおよび記憶媒体への情報の書き込みが可能である。実例的な記憶媒体は、プロセッサと一体化されてよい。プロセッサおよび記憶媒体は、ＡＳＩＣに存在してよい。ＡＳＩＣは、ユーザ機器に存在していてもよい。代替として、プロセッサおよび記憶媒体は、ディスクリートコンポーネントとしてユーザ機器に存在してよい。さらに、いくつかの態様においては、任意の適当なコンピュータプログラム製品が、本開示の態様のうちの１つ以上に関連するコードを含むコンピュータ可読媒体を含んでもよい。いくつかの態様において、コンピュータプログラム製品は、パッケージング材料を含んでよい。
【０１５１】
以上、種々の態様に関連して本発明を説明したが、本発明は、さらに改良可能であることが了解される。本願は、概して本発明の原理に従うと共に、本発明が関係する技術分野における既知で慣習的な実施となるような本開示からの逸脱を含む本発明の任意の変形、使用、または適応を網羅することを意図している。
【図１】
2019195167.tif 000047
【図２】
2019195167.tif 000048
【図３】
2019195167.tif 000049
【図４】
2019195167.tif 000050
【図５】
2019195167.tif 000051
【図６】
2019195167.tif 000052
【図７】
2019195167.tif 000053
【図８】
2019195167.tif 000054
【外国語明細書】
2019195167000001.pdf